(57)【要約】【課題】無認可帯域で動作するためのシステム、デバイスおよび方法を提供する。【解決手段】無認可帯域で動作するシステム、デバイスおよび方法が、開示される。一例では、デバイスは、最大チャネル占有時間（ＭＣＯＴ）と、複数の送信機会ウィンドウ（ＴＯＷ）を含むパラメータとを含む構成情報を受信できる。構成情報に基づいて、デバイスは、ＴＯＷ内にどれだけ多くのバーストが適合するかに基づいて、バーストのセットへとグループ化され得る複数のバーストへと送信を分割できる。バーストのセットにおけるバーストの数は、ＭＣＯＴ以下とできる。デバイスは、クリアチャネル評価（ＣＣＡ）を実施して、チャネルがビジーであるかどうかを決定し、バーストに対するＴＯＷ内の開始時間を決定できる。デバイスは、次いで、そのＴＯＷに対するバーストのセットを送信することができ、各バーストは、バーストインジケータ（ＢＩ）を有することができる。【選択図】図５
2022003815.tif 000002
【特許請求の範囲】
【請求項１】
無線送受信機（ＷＴＲＵ）によって実施される方法であって、
アップリンク送信のための時間リソースの複数のセットを示している割り当て情報を受信するステップであって、時間リソースのセットの各々は、Ｎ個の連続する直交周波数分割多元接続（ＯＦＤＭ）シンボルのセットを含む、ステップと、
時間リソースのセットの各々に対して、アップリンク送信に使用する、前記Ｎ個の連続するＯＦＤＭシンボルの内のＫ個のＯＦＤＭシンボルのセットを決定するステップであって、時間リソースの前記複数のセットの少なくとも１つのセットに対して、少なくとも１つのＯＦＤＭシンボルが、セットＫ内ではなく、セットＮ内にある、ステップと、
複数のアップリンク送信の少なくとも１つの送信を、時間リソースの前記少なくとも１つのセットのために、前記少なくとも１つ前記決定された数のＫ個のＯＦＤＭシンボルを使用して送信するステップと
を備える方法。
【請求項２】
前記複数のアップリンク送信の内の最初の送信は、トランスポートブロックを含み、前記最初の送信では無い他の送信は、前記トランスポートブロックの反復を含む、請求項１に記載の方法。
【請求項３】
前記反復の送信のために使用される冗長バージョンは異なっている、請求項２に記載の方法。
【請求項４】
前記複数のアップリンク送信の内の送信は、送信が送信機会に適合していないために送信されない、請求項１に記載の方法。
【請求項５】
セッＫ内では無く、セットＮ内にある前記少なくとも１つのシンボルは、最初に送信のために利用可能ではなく、後の送信機会において送信される、請求項１に記載の方法。
【請求項６】
時間リソースの前記複数のセットは、時間において連続している、請求項１に記載の方法。
【請求項７】
前記複数のアップリンク送信の少なくとも２つの送信は異なるサイズであり得る、請求項１に記載の方法。
【請求項８】
前記割り当て情報はダウンリンク制御情報（ＤＣＩ）において受信されるか、または、前記割り当て情報は無線リソース制御（ＲＲＣ）シグナリングにおいて受信される、請求項１に記載の方法。
【請求項９】
無線送受信機（ＷＴＲＵ）であって、
アップリンク送信のための時間リソースの複数のセットを示している割り当て情報を受信する手段であって、時間リソースのセットの各々は、Ｎ個の連続する直交周波数分割多元接続（ＯＦＤＭ）シンボルのセットを含む、受信する手段と、
時間リソースのセットの各々に対して、アップリンク送信に使用する、前記Ｎ個の連続するＯＦＤＭシンボルの内のＫ個のＯＦＤＭシンボルのセットを決定する手段であって、アップリンク送信のための時間リソースの前記複数のセットの少なくとも１つのセットに対して、少なくとも１つのＯＦＤＭシンボルが、セットＫ内ではなく、セットＮ内にある、決定する手段と、
複数のアップリンク送信の少なくとも１つの送信を、時間リソースの前記少なくとも１つのセットのために、前記少なくとも１つ前記決定された数のＫ個のＯＦＤＭシンボルを使用して送信する手段と
を備えたＷＴＲＵ。
【請求項１０】
前記複数のアップリンク送信の内の最初の送信は、トランスポートブロックを含み、前記最初の送信では無い他の送信は、前記トランスポートブロックの反復を含む、請求項９に記載のＷＴＲＵ。
【請求項１１】
前記反復の送信のために使用される冗長バージョンは異なっている、請求項１０に記載にＷＴＲＵ。
【請求項１２】
前記複数のアップリンク送信の内の送信は、送信が送信機会に適合していないために送信されない、請求項９に記載のＷＴＲＵ。
【請求項１３】
セットＫ内では無く、セットＮ内にある前記少なくとも１つのシンボルは、最初に送信のために利用可能ではなく、より後の送信機会において送信される、請求項９に記載のＷＴＲＵ。
【請求項１４】
時間リソースの前記複数のセットは、時間において連続している、請求項９に記載のＷＴＲＵ。
【請求項１５】
前記割り当て情報はダウンリンク制御情報（ＤＣＩ）において受信されるか、または、前記割り当て情報は無線リソース制御（ＲＲＣ）シグナリングにおいて受信される、請求項９に記載のＷＴＲＵ。
【発明の詳細な説明】
【技術分野】
【０００１】
関連出願の相互参照
本出願は、その内容が参照により本明細書に組み込まれる、２０１７年６月２３日に出願された米国特許仮出願第６２／５２４，２２９号の利益を主張する。
【背景技術】
【０００２】
より多くのデバイスで無線通信ができるようになり、スマートフォンが、ますます人気が高くなるにつれて、セルラ通信は、需要において非常な高まりを見せている。セルラ通信は、いくつかを挙げると、家庭用の電話、モノのインターネット、および低レイテンシ市場分野など、様々な市場をサービスするために用いることができる。規制機関は、セルラ通信スペクトルの使用に対して、認可証（licenses）を発行することができるが、セルラ通信を無認可のスペクトル(Unlicensed Spectrum)で行うことのできる機会が存在し得る。
【発明の概要】
【発明が解決しようとする課題】
【０００３】
無認可スペクトルにおける動作は、中央の制御装置（controller）を使用せずに、チャネルセンス方式(Channel sensing scheme)を使用することによって複数のデバイスとのスペクトル共有に対処する必要があり得る。
【課題を解決するための手段】
【０００４】
無認可帯域で動作するためのシステム、デバイスおよび方法が、本明細書で開示される。一例では、デバイスは、最大チャネル占有時間（ＭＣＯＴ:Maximum channel occupancy time）と、複数の送信機会ウィンドウ（ＴＯＷ:Transmission Opportunity Window）を含む複数のパラメータとを含む構成情報を受信することができる。構成情報に基づき、デバイスは、送信を、どのくらい多くのバーストがＴＯＷ内に適合する(収まる：fit within)かに基づいてバーストのセットへとグループ化され得る複数のバーストへと分割することができる。バーストのセットにおけるバーストの数は、ＭＣＯＴ以下とすることができる。デバイスは、クリアチャネル評価（ＣＣＡ: Clear Channel Assessment）を実施して、チャネルがビジーであるかどうかを決定し、バーストに対するＴＯＷ内の開始時間を決定することができる。デバイスは、次いで、そのＴＯＷに対するバーストのセットを送信することができ、各バーストは、バーストインジケータ（ＢＩ:Burst Indicator）を有することができる。より詳細な理解は、添付図面と併せて例として与えられた、以下の記述から得ることができ、図中、同様の参照数字は、同様の要素を示す。
【発明の効果】
【０００５】
無認可帯域で動作するためのシステム、デバイスおよび方法が提供される。
【図面の簡単な説明】
【０００６】
【図１Ａ】通信システム内で使用される例示的無線送受信ユニット（ＷＴＲＵ）のシステム図である。
【図１Ｂ】１つまたは複数の実施形態による例示的通信システムの図である。
【図１Ｃ】図１Ｂで示されるものなど通信システム内で使用される例示的無線アクセスネットワークおよびコアネットワークのシステム図である。
【図２Ａ】１つまたは複数の実施形態による利用可能なリソースに基づく送信の例示的プロセスの図である。
【図２Ｂ】１つまたは複数の実施形態による利用可能なリソースに基づく例示的送信の図である。
【図３Ａ】１つまたは複数の実施形態による割り当てられたリソースのセットに対して時間制限のある送信の例示的プロセスの図である。
【図３Ｂ】１つまたは複数の実施形態による割り当てられたリソースのセットに対する例示的な時間制限のある送信の図である。
【図４Ａ】１つまたは複数の実施形態によるバーストへの送信分割に対する例示的プロセスの図である。
【図４Ｂ】分割されたバーストを用いる例示的な送信の図である。
【図５】バーストインジケータを用いる例示的な送信の図である。
【図６】バーストインジケータを用いる例示的な送信プロセスの図である。
【発明を実施するための形態】
【０００７】
セルラ通信は、拡張モバイルブロードバンド（ｅＭＢＢ）、超高信頼低遅延通信（ＵＲＬＬＣ）、およびマシンタイプ通信（ＭＴＣ）など、いくつかの通信デバイス市場分野に焦点を合わせることができる。モノのインターネット（ＩｏＴ）アプリケーションの発展は、センサ、アクチュエータ、メータ、器具、車、および同様の他のデバイスへの接続性ソリューションに対処することができる。ＩｏＴネットワークは、局所的なエリアのカバレッジから広いエリアのカバレッジまで変化する様々な設計目的を有することができる。これらのネットワークは、デバイスのカバレッジ拡張、デバイスの複雑さの低減、および長いデバイスの電池寿命を提供するように最適化され得る。本明細書で論ずる場合、装置およびデバイスという用語は、相互に交換可能である。
【０００８】
図１Ａは、例示的な無線送受信ユニット（ＷＴＲＵ）１０２のデバイス図である。ＷＴＲＵ１０２は、プロセッサ１１８、送受信機１２０、送信／受信エレメント１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および他の周辺装置１３８を含むことができる。ＷＴＲＵ１０２は、本明細書の前述の要素の任意の下位の組合せを含むことができるが、いずれの開示される実施形態とも一貫性を有していることが理解されよう。
【０００９】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連付けられた１つまたは複数のマイクロプロセッサ、コントローラ、マイクロコントローラ、特定用途向け集積回路（ＡＳＩＣ）、書替え可能ゲートアレイ（ＦＰＧＡ）回路、任意の他のタイプの集積回路（ＩＣ）、状態機械、および同様のものとすることができる。プロセッサ１１８は、信号符号化、データ処理、電力制御、入力／出力処理、および／またはＷＴＲＵ１０２を無線環境で動作できるようにする任意の他の機能を実施することができる。プロセッサ１１８は、送受信機１２０に結合され得るが、送受信機１２０は、送信／受信エレメント１２２に結合され得る。図１Ａは、プロセッサ１１８と送受信機１２０とを別々の構成要素として示しているが、プロセッサ１１８および送受信機１２０は、電子パッケージまたはチップにおいて共に一体化され得ることが理解されよう。
【００１０】
送信／受信エレメント１２２は、無線インターフェース１１６を介して、基地局（例えば、基地局１１４ａ）に信号を送信する、またはそこから信号を受信するように構成され得る。例えば、一実施形態では、送信／受信エレメント１２２は、ＲＦ信号を送信および／または受信するように構成されたアンテナとすることができる。別の実施形態では、送信／受信エレメント１２２は、例えば、ＩＲ、ＵＶ、または可視光信号を送信および／または受信するように構成された発光体／検出器とすることができる。さらに別の実施形態では、送信／受信エレメント１２２は、ＲＦ信号および光信号を共に送信および受信するように構成することができる。送信／受信エレメント１２２は、無線信号の任意の組合せを送信および／または受信するように構成できることが理解されよう。
【００１１】
さらに、送信／受信エレメント１２２が、図１Ａで単一の要素として示されているが、ＷＴＲＵ１０２は、任意の数の送信／受信エレメント１２２を含むことができる。より具体的には、ＷＴＲＵ１０２は、ＭＩＭＯ技術を使用することができる。したがって、一実施形態では、ＷＴＲＵ１０２は、無線インターフェース１１６を介して、無線信号を送信および受信するために、２つ以上の送信／受信エレメント１２２（例えば、複数のアンテナ）を含むことができる。
【００１２】
送受信機１２０は、送信／受信エレメント１２２により送信される信号を変調し、かつ送信／受信エレメント１２２により受信される信号を復調するように構成され得る。前述のように、ＷＴＲＵ１０２は、マルチモード機能を有することができる。したがって、送受信機１２０は、ＷＴＲＵ１０２が、例えば、ＵＴＲＡおよびＩＥＥＥ８０２．１１などの複数のＲＡＴにより通信できるようにするための複数の送受信機を含むことができる。
【００１３】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニット、または有機発光ダイオード（ＯＬＥＤ）ディスプレイユニット）に結合され得るが、またそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不能メモリ１３０および／または取外し可能メモリ１３２など、任意のタイプの適切なメモリからの情報にアクセスし、かつデータをそこに記憶することができる。取外し不能メモリ１３０は、ランダムアクセスメモリ（ＲＡＭ）、読み出し専用メモリ（ＲＯＭ）、ハードディスク、または任意の他のタイプのメモリ記憶デバイスを含むことができる。取外し可能メモリ１３２は、加入者識別モジュール（ＳＩＭ）カード、メモリスティック、セキュアデジタル（ＳＤ）メモリカード、および同様のものを含むことができる。他の実施形態では、プロセッサ１１８は、サーバまたは家庭用コンピュータ（図示せず）上など、ＷＴＲＵ１０２上に物理的に位置していないメモリからの情報にアクセスし、かつそこにデータを記憶することができる。
【００１４】
プロセッサ１１８は、電源１３４から電力を受け取ることができ、またＷＴＲＵ１０２における他の構成要素に電力を配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）ニッケル水素（ＮｉＭＨ）、リチウムイオン（Ｌｉ−ｉｏｎ）など）、太陽電池、燃料電池、および同様のものを含むことができる。
【００１５】
プロセッサ１１８はまた、ＷＴＲＵ１０２の現在位置に関する位置情報（例えば、経度および緯度）を提供するように構成され得るＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）から無線インターフェース１１６を介して位置情報を受け取り、かつ／または２つ以上の近傍の基地局から受信される信号のタイミングに基づき、その位置を決定することができる。ＷＴＲＵ１０２は、実施形態との一貫性を有しながら、任意の適切な位置決定法により位置情報を取得できることが理解されよう。
【００１６】
プロセッサ１１８は、さらなる特徴、機能性、および／または有線もしくは無線接続性を提供する１つまたは複数のソフトウェアおよび／またはハードウェアモジュールを含むことのできる他の周辺装置１３８にさらに結合され得る。例えば、周辺装置１３８は、加速度計、電子コンパス、衛星送受信機、デジタルカメラ（写真またはビデオ用）、ユニバーサルシリアルバス（ＵＳＢ）ポート、振動デバイス、テレビジョン送受信機、手を使用しないヘッドセット、Ｂｌｕｅｔｏｏｔｈ（登録商標）モジュール、周波数変調（ＦＭ）無線ユニット、デジタルミュージックプレーヤ、メディアプレーヤ、ビデオゲームプレーヤモジュール、インターネットブラウザ、および同様のものを含むことができる。
【００１７】
ＷＴＲＵは、認可スペクトルで展開され得るセルラ通信ネットワークで動作することができる。しかし、セルラアプリケーションの需要が増加するにつれて、認可スペクトルにおけるトラフィック負荷が増加する可能性があり、その場合、オペレータは、増加したトラフィック負荷の需要を満たすために、さらに認可スペクトルを購入する必要があり得る。認可スペクトルが高価であるため、代替の手法は、セルラトラフィックを無認可帯域へと肩代わりさせることであり得る。無認可スペクトル帯域はまた、ＷｉＦｉ、Ｂｌｕｅｔｏｏｔｈなどの非セルラアプリケーション、および他の無線プロトコルでサポートされるアプリケーションに使用することができる。
【００１８】
図１Ｂは、１つまたは複数の開示される実施形態が実施され得る例示的な通信システム１００（例えば、セルラ通信ネットワーク）の図である。通信システム１００は、複数の無線ユーザに、音声、データ、ビデオ、メッセージング、報知などのコンテンツを提供する複数のアクセスシステムとすることができる。通信システム１００は、複数の無線ユーザが、無線帯域幅を含むシステムリソースを共有することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および同様のものなど、１つまたは複数のチャネルアクセス法を使用することができる。
【００１９】
チャネルという用語は、本明細書で、データチャネル、制御チャネル、ならびに／または送信および／もしくは受信され得る別のチャネルもしくは信号を表すために使用することができる。データチャネルは、例えば、いくつかある中で特に、物理ＤＬ共有チャネル（ＰＤＳＣＨ）、狭帯域（ＮＢ）−ＰＤＳＣＨ、新無線（ＮＲ）−ＰＤＳＣＨ、物理ＵＬデータチャネル（ＰＵＳＣＨ）、ＮＢ−ＰＵＳＣＨ、ＮＲ−ＰＵＳＣＨとすることができる。制御チャネルは、例えば、いくつかある中で特に、物理ＤＬ制御チャネル（ＰＤＣＣＨ）、および拡張（Ｅ）−ＰＤＣＣＨ、ＮＢ−ＰＤＣＣＨ、ＮＲ−ＰＤＣＣＨ、物理ＵＬ制御チャネル（ＰＵＣＣＨ）、ＮＢ−ＰＵＣＣＨ、ＮＲ−ＰＵＣＣＨとすることができる。チャネルは、例えば、物理ランダムアクセスチャネル（ＰＲＡＣＨ）などのランダムアクセスチャネル、または物理報知チャネル（ＰＢＣＨ）などの報知チャネルとすることができる。チャネルという用語は、本明細書で、送信および／または受信に使用され得る周波数または動作チャネルを表すために使用され得る。チャネルはフリーまたはビジーであり得るが、チャネル上で送信する前はフリーであるべきである。共通のチャネルは、いくつかある中で特に、ＤＬ制御チャネルなどの制御チャネル、ページングチャネル、報知チャネル、共有チャネルとすることができ、共有チャネルは、ランダムアクセス応答（ＲＡＲ）、ページングチャネルもしくはメッセージ、および／またはシステム情報などの共通の情報を伝達することができる。
【００２０】
図１Ｂで示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２などのいくつかの相互に作用する要素を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、無線信号を送信かつ／または受信するように構成され、またユーザ装置（ＵＥ）、移動局、固定または移動加入者ユニット、ページャ、セルラ式電話、携帯情報端末（ＰＤＡ）、スマートフォン、ラップトップ、ネットブック、パーソナルコンピュータ、無線センサ、家庭用電子機器、および同様のものを含むことができる。
【００２１】
通信システム１００はまた、基地局１１４ａおよび基地局１１４ｂを含むことができる。基地局１１４ａ、１１４ｂのそれぞれは、コアネットワーク１０６、インターネット１１０、および／または他のネットワーク１１２などの１つまたは複数の通信ネットワークへのアクセスを容易するために、ＷＴＲＵ１０２ａ、１０２ｂ、１０２ｃ、１０２ｄの少なくとも１つと無線でインターフェースをとるように構成された任意のタイプのデバイスとすることができる。例として、基地局１１４ａ、１１４ｂは、送受信機基地局（ＢＴＳ）、ノードＢ、ｅＮｏｄｅＢ（ｅＮＢ）、ホームノードＢ、ホームｅＮｏｄｅＢ、サイトコントローラ、アクセスポイント（ＡＰ）、無線ルータ、ｇＮＢ、ＴＲＰ、ＳＴＡ、セル、および同様のものとすることができ、本明細書において、相互に交換可能に使用することができる。基地局１１４ａ、１１４ｂが、それぞれ、単一の要素として示されているが、基地局１１４ａ、１１４ｂは、任意の数の相互接続された基地局および／またはネットワーク要素を含む／表し得ることが理解されよう。同様に、本明細書で論ずるように、ｅＮＢに対する参照は、ｇＮＢ、ＴＲＰ、ＳＴＡ、セル、基地局、および／または同様のものの１つまたは複数のものを表すために使用され得る。ネットワーク上でノードを構成する個々の要素は、基地局またはＷＴＲＵなどのデバイスであると見なすことができる。
【００２２】
基地局１１４ａは、ＲＡＮ１０４の一部とすることができ、それはまた、基地局制御装置（ＢＳＣ）、無線ネットワーク制御装置（ＲＮＣ）、中継ノードなどの他の基地局および／またはネットワーク要素（図示せず）を含むことができる。基地局１１４ａおよび／または基地局１１４ｂは、セル（図示せず）と呼ばれ得る特定の地理学的領域内で無線信号を送信および／または受信するように構成することができる。セルは、セルセクタへとさらに分割することができる。例えば、基地局１１４ａに関連付けられたセルは、３つのセクタに分割することができる。したがって、一実施形態では、基地局１１４ａは、３つの送受信機、すなわち、セルの各セクタに対して１つを含むことができる。別の実施形態では、基地局１１４ａは、多入力多出力（ＭＩＭＯ）技術を使用することができ、したがって、セルの各セクタに対して複数の送受信機を利用することができる。
【００２３】
基地局１１４ａ、１１４ｂは、無線インターフェース１１６を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（ＲＦ）、マイクロ波、赤外線（ＩＲ）、紫外線（ＵＶ）、可視光など）。無線インターフェース１１６は、任意の適切な無線アクセス技術（ＲＡＴ）を用いて確立することができる。
【００２４】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０４における基地局１１４ａ、およびＷＴＲＵ１０２ａ、１０２ｂ、１０２ｃは、広帯域ＣＤＭＡ（ＷＣＤＭＡ）を用いて無線インターフェース１１６を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００２５】
別の実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実施することができ、それは、ロングタームエボリューション（ＬＴＥ）、および／またはＬＴＥアドバンスト（ＬＴＥ−Ａ）を用いて、無線インターフェース１１６を確立することができる。
【００２６】
他の実施形態では、基地局１１４ａおよびＷＴＲＵ１０２ａ、１０２ｂ、１０２ｃは、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイル通信（ＧＳＭ）、ＧＳＭエボリューション拡張データレート（ＥＤＧＥ）、ＧＳＭ  ＥＤＧＥ（ＧＥＲＡＮ）、および同様のものなどの無線技術を実施することができる。
【００２７】
図１Ｂの基地局１１４ｂは、例えば、無線ルータ、ホームノードＢ、ホームｅＮｏｄｅＢ、またはアクセスポイントとすることができ、また職場、家庭、乗物、キャンパス、および同様のものなど、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することができる。別の実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することができる。さらに別の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａなど）を利用することができる。図１Ｂで示されるように、基地局１１４ｂは、インターネット１１０への直接接続を有することができる。したがって、基地局１１４ｂは、コアネットワーク１０６を介してインターネット１１０にアクセスする必要のないこともあり得る。
【００２８】
ＲＡＮ１０４は、コアネットワーク１０６と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（ＶｏＩＰ）サービスを提供するように構成された任意のタイプのネットワークとすることができる。例えば、コアネットワーク１０６は、呼制御、課金サービス、モバイル位置ベースサービス、プリペイドコーリング、インターネット接続、ビデオ配信などを提供し、かつ／またはユーザ認証などの高水準のセキュリティ機能を実施することができる。図１Ｂで示されていないが、ＲＡＮ１０４および／またはコアネットワーク１０６は、ＲＡＮ１０４と同じＲＡＴ、または異なるＲＡＴを使用する他のＲＡＮと直接または間接的に通信できることが理解されよう。例えば、Ｅ−ＵＴＲＡ無線技術を利用することのできるＲＡＮ１０４に接続されるのに加えて、コアネットワーク１０６はまた、ＧＳＭ無線技術を使用する別のＲＡＮ（図示せず）と通信することもできる。
【００２９】
コアネットワーク１０６はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群における伝送制御プロトコル（ＴＣＰ）、ユーザデータグラムプロトコル（ＵＤＰ）、およびインターネットプロトコル（ＩＰ）などの共通の通信プロトコルを使用する相互接続されたコンピュータネットワークおよびデバイスの大域システムを含むことができる。ネットワーク１１２は、他のサービスプロバイダにより所有され、かつ／または運営される有線または無線通信ネットワークを含むことができる。例えば、ネットワーク１１２は、ＲＡＮ１０４と同じＲＡＴ、または異なるＲＡＴを使用できる１つまたは複数のＲＡＮに接続された別のコアネットワークを含むことができる。
【００３０】
通信システム１００におけるＷＴＲＵ１０２ａ、１０２ｂ、１０２ｃ、１０２ｄのいくつか、またはすべては、マルチモード機能を含むことができる（すなわち、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ｂで示されるＷＴＲＵ１０２ｃは、セルラベースの無線技術を使用できる基地局１１４ａと、かつＩＥＥＥ８０２無線技術を使用できる基地局１１４ｂと通信するように構成することができる。
【００３１】
図１Ｃは、実施形態によるＲＡＮ１０４およびコアネットワーク１０６のシステム図である。上記のように、ＲＡＮ１０４は、無線インターフェース１１６を介してＷＴＲＵ１０２ａ、１０２ｂ、１０２ｃと通信するために、Ｅ−ＵＴＲＡ無線技術を使用することができる。ＲＡＮ１０４はまた、コアネットワーク１０６と通信することができる。
【００３２】
ＲＡＮ１０４は、ｅＮｏｄｅＢ１４０ａ、１４０ｂ、１４０ｃを含むことができるが、ＲＡＮ１０４は、実施形態との一貫性を有しながら、任意の数のｅＮｏｄｅＢを含み得ることが理解されよう。ｅＮｏｄｅＢ１４０ａ、１４０ｂ、１４０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｅＮｏｄｅＢ１４０ａ、１４０ｂ、１４０ｃは、ＭＩＭＯ技術を実施することができる。したがって、例えば、ｅＮｏｄｅＢ１４０ａは、ＷＴＲＵ１０２ａに無線信号を送信し、かつそこから無線信号を受信するために複数のアンテナを使用することができる。
【００３３】
ｅＮｏｄｅＢ１４０ａ、１４０ｂ、１４０ｃのそれぞれは、特定のセル（図示せず）に関連付けることができ、また無線リソース管理決定、ハンドオーバ決定、アップリンクおよび／またはダウンリンクにおけるユーザのスケジューリング、ならびに同様のものを処理するように構成され得る。図１Ｃで示されるように、ｅＮｏｄｅＢ１４０ａ、１４０ｂ、１４０ｃは、Ｘ２インターフェースを介して互いに通信することができる。
【００３４】
図１Ｃで示されるコアネットワーク１０６は、モビリティ管理エンティティゲートウェイ（ＭＭＥ）１４２、サービングゲートウェイ１４４、およびパケットデータネットワーク（ＰＤＮ）ゲートウェイ１４６を含むことができる。前述の要素のそれぞれは、コアネットワーク１０６の一部として示されているが、これらの要素のいずれも、コアネットワークオペレータ以外のエンティティによって所有され、かつ／または運営され得ることが理解されよう。
【００３５】
ＭＭＥ１４２は、Ｓ１インターフェースを介してＲＡＮ１０４におけるｅＮｏｄｅＢ１４０ａ、１４０ｂ、１４０ｃのそれぞれに接続することができ、制御ノードとして働くことができる。例えば、ＭＭＥ１４２は、ＷＴＲＵ１０２ａ、１０２ｂ、１０２ｃのユーザを認証すること、ベアラの活動化／非活動化、ＷＴＲＵ１０２ａ、１０２ｂ、１０２ｃの初期アタッチ中に特定のサービングゲートウェイを選択すること、および同様のものを扱うことができる。ＭＭＥ１４２はまた、ＲＡＮ１０４と、ＧＳＭまたはＷＣＤＭＡなどの他の無線技術を使用する他のＲＡＮ（図示せず）との間を切り換えるための制御プレーン機能を提供することができる。
【００３６】
サービングゲートウェイ１４４は、Ｓ１インターフェースを介して、ＲＡＮ１０４におけるｅＮｏｄｅＢ１４０ａ、１４０ｂ、１４０ｃのそれぞれに接続され得る。サービングゲートウェイ１４４は、概して、ＷＴＲＵ１０２ａ、１０２ｂ、１０２ｃとの間で、ユーザデータパケットを経路指定し、かつ転送することができる。サービングゲートウェイ１４４はまた、ｅＮｏｄｅＢ間のハンドオーバ中にユーザプレーンを固定すること、ダウンリンクデータがＷＴＲＵ１０２ａ、１０２ｂ、１０２ｃに利用可能であるとき、ページングをトリガすること、ＷＴＲＵ１０２ａ、１０２ｂ、１０２ｃのコンテキストを管理し、かつ記憶すること、および同様のものなどの他の機能を実施することができる。
【００３７】
サービングゲートウェイ１４４はまた、ＰＤＮゲートウェイ１４６に接続することができ、それは、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することができる。
【００３８】
コアネットワーク１０６は、他のネットワークとの通信を容易にすることができる。例えば、コアネットワーク１０６は、ＷＴＲＵ１０２ａ、１０２ｂ、１０２ｃと従来の陸線通信デバイスとの間の通信を容易にするために、ＰＳＴＮ１０８などの回線交換網へのアクセスをＷＴＲＵ１０２ａ、１０２ｂ、１０２ｃに提供することができる。例えば、コアネットワーク１０６は、コアネットワーク１０６とＰＳＴＮ１０８の間のインターフェースとして働くＩＰゲートウェイ（例えば、ＩＰマルチメディアサブシステム（ＩＭＳ）サーバ）を含む、またはそれと通信することができる。さらに、コアネットワーク１０６は、他のサービスプロバイダにより所有され、かつ／または運営される他の有線または無線ネットワークを含むことのできるネットワーク１１２へのアクセスをＷＴＲＵ１０２ａ、１０２ｂ、１０２ｃに提供することができる。
【００３９】
他のネットワーク１１２は、ＩＥＥＥ８０２．１１ベースの無線ローカルエリアネットワーク（ＷＬＡＮ）１６０にさらに接続することができる。ＷＬＡＮ１６０は、アクセスルータ１６５を含むことができる。アクセスルータは、ゲートウェイ機能を含むことができる。アクセスルータ１６５は、複数のアクセスポイント（ＡＰ）１７０ａ、１７０ｂと通信することができる。アクセスルータ１６５とＡＰ１７０ａ、１７０ｂの間の通信は、有線イーサネット（ＩＥＥＥ８０２．３規格）、または任意のタイプの無線通信プロトコルによることができる。ＡＰ１７０ａは、ＷＴＲＵ１０２ｄと無線インターフェースを介して無線通信する。
【００４０】
図１Ｂおよび図１Ｃで示されたシステムのいずれも、オペレータは、本明細書で論じられる理由で、認可スペクトルと無認可スペクトルの両方を使用することを選択することができる。チャネルセンス方式を使用することにより、中心の制御装置を使用せずに複数のＷＴＲＵとスペクトルを共有するなど、無認可スペクトル帯域を用いることに対して課せられる制約があり得る。無許可帯域におけるセル、送受信ポイント（ＴＲＰ）、またはキャリアの動作もしくは使用は、スタンドアロンとすることができるが、または認可帯域におけるセル、ＴＲＰ、またはキャリアの動作もしくは使用により支援され得る。このような支援される展開シナリオは、本明細書において、認可支援アクセス（ＬＡＡ:Licensed Assisted Access）と呼ぶことができる。ＬＡＡの場合、認可セル、ＴＲＰ、またはキャリアは、プライマリもしくはアンカーセル、ＴＲＰ、またはキャリアとすることができる。
【００４１】
無認可スペクトルにおけるセルラシステム動作を考える場合、例えば、スペクトルのユーザの中で干渉を最小化し、かつ公平性を提供しようとするためには、ＷｉＦｉなどの他の無認可技術を有するセルラシステム、ならびに他のセルラオペレータとの共存に対処する必要があり得る。リッスンビフォアトーク（ＬＢＴ:Listen-Before-Talk）、またはクリアチャネル評価（ＣＣＡ）などの機構を使用することができる。ＬＢＴおよびＣＣＡを用いると、アクセスポイント（ＡＰ）、ｅＮｏｄｅＢ（ｅＮＢ）、ｇＮｏｄｅＢ（ｇＮＢ）、ＴＲＰ、ユーザ装置（ＵＥ）、ＷＴＲＵ、および同様のものなどのシステムノードは、そのチャネルまたはチャネルの一部で送信する前に、そのチャネル（例えば、一定の中心周波数および帯域幅を備えた周波数帯）を受信して、チャネルを使用している別のＷＴＲＵが存在するかどうかを決定することができる。別のＷＴＲＵを受信し、かつ／またはその使用を決定することは、エネルギー検出を含むことのできる測定を含む、またはそれに基づくことができる。
【００４２】
ＬＢＴ、ＣＣＡ、およびＬＢＴ／ＣＣＡは、本明細書において、相互に交換可能に使用することができる。測定（例えば、エネルギーの）が閾値以上である場合、チャネルは、ビジーである、占有されている、または使用中であると決定され得る。測定（例えば、エネルギーの）が閾値以下である場合、チャネルはアイドルである、フリーである、空いている、または未使用であると決定され得る。
【００４３】
空いている(Clear)、フリーである、アイドルである、利用可能、占有されていない、かつビジーではないことは、相互に交換可能に使用することができる。空いていない(Not clear)、フリーではない、アイドルではない、利用可能ではない、占有されている、かつビジーであることは、相互に交換可能に使用することができる。チャネル、周波数チャネル、および動作チャネルは、相互に交換可能に使用することができる。ＣＣＡ失敗（failure）とは、チャネルがビジーであることが分かったことを意味することができる。ＣＣＡ合格(pass)は、チャネルが空いていると分かったことを意味することができる。
【００４４】
例では、可能性のあるＵＬ送信を有するＷＴＲＵ、および／または可能性のあるＤＬ送信を有するｅＮＢなど、チャネル上の送信機は、別のシステム、ＷＴＲＵ、または信号など別のものによってチャネルが使用中（例えば、ビジーおよび／または占有されている）であり得るかどうかを決定するために、送信する前に、チャネルを評価し、かつ／またはモニタして（すなわち、受信する）、チャネル上の信号の存在もしくは干渉を測定し、かつ／または決定することができる。送信機は、例えば、チャネルからの受信信号および／または干渉を、１つまたは複数の閾値レベルなどの何らかの基準と比較することができ、その比較に基づいて、ＬＢＴ／ＣＣＡステップの一部として、チャネルがフリーであるかどうかを決定することができる。送信機が、チャネルはフリーであると決定した場合、送信機は、そのチャネル上で送信することができる。送信機が、チャネルはフリーではないと決定した場合、送信機は、そのチャネル上で送信することができない、かつ／または可能性のある送信を延期する、かつ／または可能性のある送信を廃棄することができる。本明細書で論ずる場合、送信機は、ＷＴＲＵ、ｅＮＢなど、任意の送信デバイスを指すことができる。同様に、受信機は、ＷＴＲＵ、ｅＮＢなど、任意の受信デバイスを指すことができる。一例では、送信機は、ＷＴＲＵ（例えば、ＵＬ送信用）および／またはｅＮＢ（例えば、ＤＬ送信用）とすることができる。別の例では、受信機は、ＷＴＲＵ（例えば、ＤＬ受信用）および／またはｅＮＢ（例えば、ＵＬ受信用）とすることができる。
【００４５】
フレームベースの装置（ＦＢＥ）は、送信／受信タイミングが固定される、かつ／または構造化され得る装置を指すことができる。負荷ベースの装置（ＬＢＥ）は、（例えば、固定された、または定義された時間における）一定のフレーム構造によりＬＢＴ／ＣＣＡを実施しないこともあり得る。ＬＢＥは、それが送信すべきデータを有するときは常に、ＬＢＴ／ＣＣＡを実施することができる。本明細書で論ずる場合、ＦＢＥは、認可または無認可チャネル上で送信および／または受信できるＷＴＲＵ、ＵＥ、ｅＮＢ、ｇＮＢ、ＴＲＰ、ＳＴＡ、またはＡＰなどの任意のノード、またはデバイスとすることができる。
【００４６】
チャネル評価(チャネル推定：Channel evaluation)に関して、動作チャネル上で送信、または送信のバーストを実施する前に、装置は、本明細書で論ずるように、チャネルのエネルギーを検出するＬＢＴ／ＣＣＡチェックを実施することができる。チャネル評価のためのＬＢＴ／ＣＣＡ時間期間は、固定された、または最小の時間量とすることができる。チャネル占有時間（ＣＯＴ）は、そのチャネルの可用性を再評価することなく、送信機が所与のチャネル上で送信できる合計時間とすることができる。最大ＣＯＴ（ＭＣＯＴ）値は、システムにより、かつ／または関連する無線規格もしくは法規によって指示されるように構成され得る。何らかの送信機に対するＭＣＯＴは、デバイスの製造者によって設定され得るが、システムのＭＣＯＴ値より低くなり得る。ＭＣＯＴに対する例示的な値は、４ｍｓまたは１０ｍｓとすることができる。
【００４７】
アイドル期間は、装置がチャネル上で送信できない時間（例えば、連続する時間期間）とすることができる。アイドル期間は、例えば、現在の固定されたフレーム期間に対してデバイスによって使用され得るＣＯＴの５％など、ＣＯＴに対して最小の要件を有することができる。
【００４８】
送信機が、ＬＢＴ／ＣＣＡ中に、またはその結果として、１つまたは複数の動作チャネルが空いていると決定した場合、それは、１つまたは複数の空いたチャネル上で送信することができる（例えば、直ちに）。送信機が、ＬＢＴ／ＣＣＡ中に、またはその結果として、動作チャネルが占有されていると決定した場合、それは、チャネルが空いていると決定するその後のＬＢＴ／ＣＣを実施するまで、そのチャネルで送信することはできない。送信機が、ＬＢＴ／ＣＣＡ中に、またはその結果として、動作チャネルが占有されていると決定した場合、それは、次の固定されたフレーム期間中に、そのチャネル上で送信することはできない。ＬＢＴ／ＣＣＡは、チャネルが空いていないと決定した後に続いて実施することができ、空いたチャネルを求めてチェックする前に、待機時間もしくはバックオフ時間を含むことができる。
【００４９】
３ＧＰＰ  ＬＡＡに対するものなど、いくつかのシナリオでは、ＷＴＲＵは、チャネルがフリーであるかどうかを決定するために、ＣＣＡを実施することができる。ＷＴＲＵが、チャネルはフリーではないと決定した場合、ＷＴＲＵは、次いで、さらなる競合ウィンドウ時間量など、バックオフまたは待ち時間を加えることができる。ＷＴＲＵが、チャネルはフリーであると決定した後、ＷＴＲＵは、実際に送信する前に、再度チェックすることができる（すなわち、実際の送信は、チャネルがフリーであると決定された後、すぐに開始されないこともあり得る）。例えば、ＷＴＲＵが、実際の送信前に、チェックウィンドウ（例えば、２５μｓ）以内にない場合、ＷＴＲＵは、実際の送信前に少なくともチェックウィンドウ時間量の間、ＣＣＡを実施することができ、ＷＴＲＵは、少なくとも一部のチェックウィンドウ時間量の間に、チャネルがフリーであると決定された場合に限って送信することができる。
【００５０】
ＣＣＡへのいずれの参照も、完全なＣＣＡ、または短いＣＣＡとすることができる。完全なＣＣＡは、チャネルがビジーであると決定されたとき、１つまたは複数のバックオフ時間を加えることを含むことができる。短いＣＣＡは、送信、または意図された／計画された送信を開始する前に、チェックウィンドウにおいて、クイックチェック（例えば、エネルギー検出チェック）を行うことができる。例えば、ＷＴＲＵが、第１のサブフレーム（ＳＦ）またはシンボルに対してＣＣＡを実施するとき、ＷＴＲＵは、チャネルがフリーかどうかを決定するために、完全なＣＣＡを実施することができる。ＷＴＲＵは、例えば、完全なＣＣＡの最後と、実際の送信開始との間にギャップがある場合、チャネルがまだフリーであることを再チェックするために、実際の送信前に短いＣＣＡを実施することができる。
【００５１】
ＬＴＥ  ＬＡＡ  ＵＬなどのいくつかのシナリオでは、ＷＴＲＵは、時間期間の開始境界上で開始する、または時間期間内にあり得る時間単位の境界上で開始する送信に対してＣＣＡを実施することができる。
【００５２】
サブフレームは、本明細書において、時間期間、時間単位、および／または時間リソースの非限定的な例として使用される。時間期間の他の例は、サブフレームのセット、フレーム、フレームのセット、スロット、ミニスロット、スロットもしくはミニスロットのセット、ＴＴＩ、短いＴＴＩ、マルチシンボルＴＴＩ、シンボル、ＴＴＩのセット、シンボルのセット、シンクバースト、シンクブロック、シンクバーストもしくはシンクブロックのセット、および同様のものを含む。シンボルは、時間期間に含まれ得る時間単位の非限定的な例として、本明細書で使用される。時間期間は、１つまたは複数の時間単位を含むことができる。時間単位の他の例は、スロット、ミニスロット、ＴＴＩ、短いＴＴＩ、マルチシンボルＴＴＩ、シンボルのセット、シンクバースト、シンクブロック、および同様のものを含むことができる。いくつかの例では、時間単位および時間期間は、相互に交換可能に使用することができる。いくつかの例では、時間単位は、サブフレームとすることができる。いくつかの例では、時間リソースは、１つまたは複数の時間期間(Time period)および／または１つまたは複数の時間単位(Time unit)とすることができる、またはそれらを表すために使用され得る。
【００５３】
例では、ＷＴＲＵは、サブフレームの境界上で開始する送信に対して、またはサブフレーム内の示されたシンボル境界上で開始する送信に対して完全なＣＣＡを実施することができる。ＷＴＲＵは、１つのサブフレーム（例えば、完全な、または部分的なサブフレーム）に対して、または連続するサブフレームのセットに対して許可を受信することができる。ＷＴＲＵは、許可されたサブフレーム上で送信する前に、短いＣＣＡを実施することができる。許可されたサブフレームのセットに対して、ＷＴＲＵが、ＣＣＡが失敗した（例えば、チャネルはビジーである、またはアイドルではない）と決定した場合、ＷＴＲＵは、次の、または後の許可されたサブフレームに対して、完全な／短いＣＣＡを実施することができる。ＷＴＲＵが、許可されたサブフレームのセットにおけるサブフレームに対して、チャネルがフリーであると決定した場合、ＷＴＲＵは、そのサブフレーム上で、かつ許可されたセットにおける残りのサブフレーム上で送信することができる。例えば、送信が連続的なものである場合、後続するサブフレームに対して、ＣＣＡを実施することなく、送信を実施することができる。送信において中断があった場合、ＷＴＲＵは、中断後にセット内のサブフレーム上で送信に対する別の短いＣＣＡを実施することができる。
【００５４】
実施形態では、チャネル共有は、デバイス（例えば、ＷＴＲＵ）がチャネルを使用できない時間持続期間（例えば、ウィンドウまたはギャップ）を用いて実施することができる。チャネルが使用できる、かつ／または使用できない時間持続期間は、事前に構成することができる。共存ギャップを、例えば、構成に基づいて、チャネルが使用できない時間持続期間を表すために使用することができる。
【００５５】
デバイスは、共存ギャップ中に、送信および／または受信するためにチャネルを使用することはできない。デバイスは、共存ギャップ中は、チャネルがビジーである、または利用できないと見なすことができる。デバイスは、例えば、１つまたは複数の共存ギャップが構成されたとき（例えば、構成に基づいて決定される）、かつ／またはＣＣＡが、チャネルの可用性を決定するために使用されないとき、共存ギャップの時間以外の時間に、チャネルがフリー、使用可能、または利用可能であると見なすことができる。
【００５６】
実施形態では、ＷＴＲＵは、カバレッジ強化（ＣＥ:Coverage Enhancement）技法を使用することができる。例えば、ＷＴＲＵは、送信または受信の性能またはカバレッジを向上させるために、反復を使用することができる。送信の反復は、受信機で結合されて（例えば、ソフト結合）、送信または受信の性能またはカバレッジを向上させることができる。ＣＥの例では、送信機は、送信をＸ回繰り返すことができ（すなわち、Ｘ時間期間もしくは時間単位）、また受信機は、送信の受信に成功するために、最大でＸの送信を結合することができ、この場合、受信の成功は、ＣＲＣチェックに基づいて決定され得る。セルで、かつ／またはｅＮＢによりサポートされる１つまたは複数のＣＥレベルが存在し得る。ＷＴＲＵは、ＣＥレベルを用いて決定し、かつ／または動作することができる。ＣＥレベルは、いくつかの反復を使用でき、それに対応することができ、かつ／またはそれを用いて構成することができる。ＣＥレベルに対して使用され得る反復の数は、様々なＷＴＲＵに対して、かつ／または様々な目的（例えば、様々な信号もしくはチャネル）に対して異なることができる。ＷＴＲＵは、ＣＥレベルに従って、かつ／または構成され得るいくつかの反復（例えば、ＣＥレベルに対して構成される）に従って、送信および／または受信することができる。より高いＣＥレベル（例えば、より多くのＣＥを用いるＣＥレベル）は、より多くの反復を使用することができる。
【００５７】
いくつかのシナリオでは、デバイス（例えば、ＷＴＲＵ）は、セルまたはノードの動作ＢＷ（例えば、システム帯域幅、システムにおけるキャリア帯域幅など）未満であり得る帯域幅（ＢＷ）内で動作する、または動作するように制限され得、ここで、セルまたはノードは、ａ）ＷＴＲＵが留まっているセルもしくはノード、ｂ）ＷＴＲＵが接続される、または通信しているセルもしくはノード、および／またはｃ）ＷＴＲＵのサービングセルもしくはノードであるセルもしくはノード、のうちの少なくとも１つとすることができる。このようなＷＴＲＵは、帯域幅（ＢＷ）制限された、または狭帯域（ＮＢ）のＷＴＲＵと見なされ得る。帯域幅制限された、またはＮＢのＷＴＲＵは、制限された帯域幅または狭帯域において、同時に信号を送信および／または受信する制限された機能を有することになる。ＢＷ制限された、およびＮＢは、本明細書において相互に交換可能に使用することができる。
【００５８】
ＷＴＲＵのＢＷ制限は、ＲＦのＢＷ制限とすることができる。ＷＴＲＵのＢＷ制限は、２００ｋＨｚもしくは１物理リソースブロック（ＰＲＢ）、１．４ＭＨｚもしくは６ＰＲＢ、または３ＭＨｚもしくは１５ＰＲＢなどの値とすることができる。
【００５９】
１または６ＰＲＢなどのＮＢにおいて動作するように制限され得るＢＷ制限された、またはＮＢのＷＴＲＵは、時間持続期間、時間期間、または時間単位ごとに制限され得る。例えば、ＢＷ制限されたＷＴＲＵは、第１の時間単位もしくは時間期間に、またはその間に１つのＮＢにおいて、かつ第２の時間単位もしくは時間期間に、またはその間に別のＮＢにおいて送信および／または受信することができる。例えば、ＷＴＲＵを第２のＮＢに合わせることができるように、第１の時間単位もしくは時間期間と第２の時間単位もしくは時間期間との間の時間にギャップが存在する、または存在する必要があり得る。
【００６０】
ＮＢのＷＴＲＵは、例えば、そのＢＷ制限を補償するために、複数の時間単位または時間期間のそれぞれにおいて、その送信（または別のノードからの送信）の一部を送信（または受信）することができる。例えば、時間単位もしくは時間期間において１つのＰＲＢに制限され得るＷＴＲＵは、６時間単位もしくは時間期間のそれぞれで１ＰＲＢとして、６ＰＲＢ送信を送信（または受信）することができる。
【００６１】
ＢＷ制限されないＷＴＲＵは、サブフレームなどの第１の時間単位（または時間期間）を用いて、またはそれを介して、（例えば、信号、チャネル、トランスポートブロックなどとすることのできる、またはそれを含むことのできる送信を）送信または受信することができる。ＢＷ制限されたＷＴＲＵは、第１の時間単位の複数のものであり得る第２の時間単位（または時間期間）を用いて送信または受信することができる。
【００６２】
前に論じたように、デバイスが、無認可チャネルを占有できる（例えば、送信するなど）時間の量は、例えば、ＭＣＯＴなど、構成された値によって制限され得る。ＭＣＯＴは、公平性、規格、または法規の少なくとも１つに基づくことができる。
【００６３】
例えば、狭帯域、帯域幅制限、および／またはＣＥアプリケーションなど、いくつかのアプリケーションに対して、送信（例えば、制御チャネル、データチャネル、またはトランスポートブロックの）は、送信を完了するために、時間単位および／または時間期間のセットを必要とする、または使用することができる。時間単位および／または時間期間のセットは、ＭＣＯＴなどの制限を超える可能性がある。送信機は、送信が完了する前に、チャネルを解放する、または解放する必要があり得る。例えば、ＣＥ送信は、１００サブフレームを使用することができ、またＭＣＯＴは１０ｍｓ（例えば、１０サブフレーム）とすることができる。
【００６４】
送信機が、送信中に少なくとも１度、チャネルを解放し、その後に送信を完了できるようにし、受信機が、完全な送信を受信できる（例えば、受信に成功する）ようにするシステム、方法、およびデバイスが必要になり得る。この必要性に対処するために、以下の１つまたは複数のものを使用することができる、すなわち、送信は、チャネルがフリーであるときに利用可能なリソースに基づくことができること、単一の割当てと割当てのセットの両方に対してＭ個の割り当てられたリソースのうちのＮ個で送信すること、送信は複数のバーストへと分割できること、および／または受信機がバーストを組立てもしくは結合できるように各バーストにインジケータが含まれ（使用され）得ることである。例えば、ＷＴＲＵは、チャネル（周波数チャネル）が、使用可能または利用可能であると決定されたとき（例えば、ＣＣＡが合格であると決定されたときなど）、送信が、リソースのセットの残りのサブセットに適合する(fit in)場合、リソース（例えば、時間および／または周波数における）のセットを用いて、少なくとも１つのチャネル（例えば、データまたは制御チャネル）および／またはトランスポートブロックの送信を送信することができる。
【００６５】
本明細書で論ずるように、送信は、少なくとも１つのチャネル、信号、トランスポートブロック、符号ブロックグループ、または符号ブロックである、または含むことができ、ここで、送信ブロックは、１つまたは複数の符号ブロック、または符号ブロックグループに対応することができる。送信は、チャネルまたはトランスポートブロックを受信および／または復号するために（例えば、受信および／または復号に成功するために）、結合され得る（例えば、ソフト結合される）チャネル、信号、またはトランスポートブロックの１つまたは複数の反復（例えば、反復のセット）である、またはそれを含むことができる。
【００６６】
バーストは、例えば、リソースのセットで送信および／または受信され得る、またはその必要があり得る送信の少なくとも一部である、またはそれを含むことができる。バーストは、例えば、リソースのセットで送信および／または受信され得る、またはその必要があり得るチャネル（例えば、データチャネル、制御チャネル、ランダムアクセスチャネル、および／または報知チャネルなど）の少なくとも一部、信号、符号ブロック、符号ブロックグループ、またはトランスポートブロックである、またはそれを含むことができる。バーストは、例えば、リソースのセットで送信および／または受信され得るチャネル、信号、符号ブロック、符号ブロックグループ、またはトランスポートブロックの反復のセット、または反復のセットのサブセットである、またはそれを含むことができる。
【００６７】
図２Ａは、利用可能な／割り当てられたリソースに基づいた送信のための例示的なプロセスを示す。この例では、送信は、チャネルがフリーであるとき、利用可能なリソースに基づくことができる。２０２で、送信機（例えば、ＷＴＲＵ）は、送信（例えば、ＵＬ送信）に対する許可、割当て、または構成を受信することができる。許可、割当て、または構成は、送信パラメータのセット、および／またはリソースのセット（例えば、サブフレームまたはＰＲＢなどの時間および／または周波数リソース）を含むことができる。例えば、Ｍ個の時間リソースのセット（例えば、Ｍ個のＳＦ）が、許可され、割り当てられ、かつ／または構成され得る。Ｍ個の時間リソースは、連続する、または非連続の時間リソースとすることができる。「割り当てられる（allocated）」という用語は、本明細書で論ずるように、許可された、かつ／または構成されたことを表すために使用することができる。
【００６８】
２０４で、送信機は、ＣＣＡ（例えば、完全なＣＣＡ）を実施し、かつ第１の時間リソース（例えば、第１のサブフレーム）に対する開始時間を決定することができ、ここで、第１の時間リソースは、Ｍ個の割り当てられたリソースの最初のものとすることができる。送信のための開始時間は、割り当てられた時間リソースに対して構成または示され得る。開始時間は、例えば、時間リソース内のｎ番目のシンボルなど、時間リソースの開始、または時間単位の開始とすることができる。２０５では、送信機は、送信が開始する時間（すなわち、開始時間）の直前に、第１のリソース（例えば、Ｍ個のサブフレームの最初のもの）に対してＣＣＡ（例えば、短いＣＣＡ）を実施することができる。
【００６９】
２０６Ｙで、時間リソースにおける送信に対して、チャネルが空いていると決定された場合、ＷＴＲＵは、２０９で、その時間リソースにおいて、送信を開始することができる。２０６Ｎで、送信に対してチャネルが空いていない場合、送信機は、その時間リソースで送信することができない。２０７で、送信機は、Ｍ個の時間リソース内の次の時間リソースで、いつ送信を行うことができるか（すなわち、ＣＣＡを実施することによりチャネルが空いているかどうかをチェックする）を決定することができ、送信をその時間まで延期することができる。
【００７０】
２０８で、送信機は、送信が、Ｍ個のリソース割当ての残りの時間リソース内に適合する（fit within）（例えば、次のリソースで送信を開始する）かどうかを決定することができる。２０８Ｎで、送信機が、送信は適合しないと決定した場合、送信機は、割当ての残りを使用せず、２１３でプロセスを終了することができる。２０８Ｙで、送信機が、送信が適合すると決定した場合、送信機は、例えば、２０５で、ＣＣＡの実施に基づいてチャネルが利用可能であると決定した後に、次のリソースにおいて送信することができる。
【００７１】
図２Ｂは、利用可能な／割り当てられたリソースに基づく送信が存在する、図２Ａのいくつかの例および例示的なプロセスを示している。上記で論じたように、送信機は、Ｍ個のリソース２２２（例えば、４〜９と番号付けられた６個のサブフレーム）の許可／割当てを受信することができ、また送信２３０（例えば、チャネルまたは送信ブロック（ＴＢ）の）は、長さ２２４（例えば、２つのサブフレーム）におけるＫ個のリソースとすることができる。１〜１２に番号付けされた合計１２個の可能なサブフレーム２３１があり得る。点線を有するサブフレーム２３１は、それらが、許可Ｍ２２２の外側にあり、また実線を有するサブフレーム２３１は、許可Ｍ２２２内にあることを示すことができる。
【００７２】
一例２３０Ａでは、送信機は、チャネルが、時間における一定の点２２６Ａで送信に利用できると決定することができる（例えば、サブフレーム７の後の開始時間）。送信機は、次いで、その許可において、開始時間２２６Ａと、許可Ｍ２２２の最後との間に残っているリソースの数である残りのリソースが、送信機が送信２２４Ａに必要になり得るリソース以上であると決定することができる。この例では、Ｋ個の長さの送信（例えば、２つのサブフレーム）を仮定すると、送信２２４Ａは、斜線を有するブロックにより示された（すなわち、サブフレーム８および９）の残りの時間許可２２２に適合しており、したがって、送信機は、送信２２４Ａを送ることができるようになる。
【００７３】
一例２３０Ｂでは、送信機は、ＣＣＡ（例えば、完全なＣＣＡ）を実施し、特定のサブフレーム２２６Ｂで、時間における一定の点でチャネルが送信に利用可能であると決定することができる。送信機は、次いで、許可における残りのリソース（例えば、残りのサブフレームの数）（例えば、１つのサブフレーム）が、送信２２４Ｂよりも小さいと決定することができ、送信機は、送信することができない。具体的には、次の送信機会は、サブフレーム８の最後であり、送信２２４Ｂは２サブフレームを必要とするので、それは、許可Ｍ２２２の最後と、次に利用可能な送信２２６Ｂとの間で残っているサブフレームを１つだけ有する許可Ｍ２２２内に適合する(fit within)ことはない。本明細書で論ずるように、Ｍ個のリソースの割当ては、半静的に構成され得る（例えば、半恒久的なスケジューリング、ＳＰＳによるなど）、または動的に構成され得る（例えば、制御チャネルおよび／またはＤＣＩによるなど）。
【００７４】
図３Ａは、割り当てられたリソースのセットに対する時間制限のある送信の例示的なプロセスを示す。いくつかの場合では、送信機が、Ｍ個のリソースのセットに対する割当てを受信し、かつ送信に対して、Ｍ個のリソースのうちのＮ個（例えば、多くてもＮ個）を使用できるだけであり、ＭおよびＮの実際の値は事前に構成され得る場合など、送信が１つまたは複数の制限を有する可能性がある。Ｍ個のリソースは、時間で連続することができ、また送信機は、最大でＮ個の時間で連続するリソースを使用する（例えば、通過する）ことができる。いくつかの例では、Ｎは、ＭＣＯＴである、またはそれに相当することができる。
【００７５】
本明細書で論ずるように、Ｍおよび／またはＮは、半静的に（例えば、上位レイヤのシグナリングにより）、または動的に（例えば、制御チャネルおよび／またはＤＣＩにより）構成することができる。さらにいくつかの例では、Ｍおよび／またはＮは、ＵＬ許可またはＤＣＩのトリガに、またはそれと共に含まれ得る。
【００７６】
図３Ａで示される例示的プロセスでは、３０１で、送信機（例えば、ＷＴＲＵ）は、最大送信長さＮの構成を受信することができ、ここで、Ｎは、送信機が送信用に使用できるリソース（例えば、連続する、または隣接しているリソース）の数とすることができる。３０２で、送信機は、Ｍ個のリソース（例えば、Ｍ個のサブフレーム）のセットに対する割当て（例えば、ＵＬ割当てまたは許可）を受信することができる。この例では、Ｎは、Ｍ以下であり、またＮは、ＭＣＯＴに設定されて、ＭＣＯＴ要件を満たすことができる。
【００７７】
３０４で、送信機は、ＣＣＡ（例えば、完全なＣＣＡ）を実施し、第１の時間リソース（例えば、第１のサブフレーム）に対する開始時間を決定することができ、ここで、第１の時間リソースは、Ｍ個の許可されたリソースの最初のものとすることができる。送信に対する開始時間は、割り当てられた時間リソースに対して構成される、または示され得る。開始時間は、時間リソース内のｎ番目のシンボルなど、時間リソースの開始または時間単位の開始とすることができる。
【００７８】
３０５で、送信機は、Ｍ個のリソース（例えば、サブフレーム）のセット内の第１の送信時間の開始の直前に、ＣＣＡ（例えば、短いＣＣＡ）を実施することができ、そのようにして、チャネルがフリーであり利用可能であるかどうかを決定することができる。
【００７９】
送信機が、３０６Ｙで、チャネルが利用可能であると決定した場合、送信機は、３０９で、割り当てられたＭ個のリソース内の１つまたは複数のリソースで送信することができる。送信機は、最大でＮ個の連続するリソースで送信することができ、また送信機が送信できる連続するリソースの数は、以下のもの、すなわち、Ｍ、Ｎ、割当てにおける残りの時間リソース（例えば、送信機がチャネルはフリーであると決定したとき）、送信機がその送信に必要な、または使用できるリソースの数（例えば、少なくとも１つのチャネル、またはトランスポートブロックの）、および／または送信機が送信しなければならないデータの量、のうちの少なくとも１つに基づいて（例えば、送信機により）決定され得る。例えば、送信機は、送信機の送信（例えば、少なくとも１つのチャネルまたはトランスポートブロックの）に対して十分な残りのリソースが存在すると決定した後、Ｍ個のリソースのうちの最大でＮ個において送信することができる。いくつかの例では、連続する（例えば、隣接する）送信間で、送信機は、チャネルの可用性を再チェックすることはできないが、さらに送信に中断がある場合、送信機は、チャネル可用性を再チェックすることができる。
【００８０】
３０６Ｎで、送信機が、チャネルはビジーであると決定した場合、送信機は、第１の送信時間の開始時に送信することはできない。３０７で、送信機は、次の送信時間（例えば、割当てに含まれる）を、それが存在する場合、決定することができる。送信機は、送信機の送信が、残りの送信時間（例えば、次の送信時間に開始するもの）に適合するかどうかを決定することができる。３０８Ｎで、送信機が、送信は残りの送信時間に適合できないと決定したとき、３１３で、送信機は割当ての残りを使用することができない。３０８Ｙで、送信機が、送信は割当ての残りに適合し得ると決定したとき、送信機は、次の送信時間に再度試みることができ、３０５で、送信機は、ＣＣＡを実施して、次の送信時間（例えば、割当てに含まれる）の開始前に、チャネルが送信に対してフリーであるかどうかを決定することができる。
【００８１】
図３Ｂは、図３Ａのプロセスのいくつかの例と共に、視覚的な説明を示しており、割り当てられたリソースのセットに対して時間制限のある送信が行われる。３３０で、送信機は、Ｍ個のリソース３２２（例えば、合計１２個のサブフレーム３３１のうちの６サブフレーム）の割当てを受信することができ、また送信機の送信（例えば、チャネルまたは送信ブロックの）は、斜線を有するブロック（例えば、２サブフレーム）により示されたＫ個のリソース３２４を使用することができる。送信機は、Ｎ３２８の構成された最大送信長さ（例えば、４サブフレーム）のリソースを受信することができる。チャネルがビジーであるとき、それは、点を有するボックス３２１により示され得る。点線を有するサブフレーム３３１ボックスは、それらが許可Ｍ３２２の外側にあることを示すことができ、また実線で輪郭が描かれたいずれのサブフレームボックス３３１も、許可Ｍ３２２内に存在し得る。
【００８２】
３３０Ａおよび３３０Ｂの例では、送信機が、チャネルは送信用に利用可能であると決定したとき、割当て（例えば、３３０Ａには５サブフレーム、３３０Ｂには４サブフレーム）における許可Ｍ３２２における残りのリソース（例えば、サブフレームの数）は、最大送信長さＮよりも大きい（または等しい）ものであり得る。３３０Ａに対して具体的には、ＣＣＡに基づいて、送信機は、サブフレーム４においてチャネルがビジーであると決定することができ、したがって、送信に対する開始時間は３２６Ａとすることができ、また送信Ｎ３２４Ａは、許可Ｍ３２２内に適合する(fit within)はずである。３３０Ｂの場合も同様に、開始送信時間は、チャネルがビジーではなくなった後の３２６Ｂに決定することができ、Ｎ３２４Ｂの送信は、許可Ｍ３２２内に適合する(fit within)はずである。送信機は、最大でＮ３２８（例えば、４サブフレーム）リソースで送信することができるが、いくつかの例では、より少なく送信することができる。例えば、送信機は、４個のリソース（すなわち、サブフレーム）で長さＫ３２４の２つのトランスポートブロックを送信することができ、したがって、送信機は、２つのトランスポートブロックを送信することができる。別の例では、Ｎは３とすることができ、１つの送信ブロックだけが、３個のリソースに適合することができ、したがって、１つの送信ブロックだけが、送信機により送信されることになる。
【００８３】
送信機が、Ｎ個のリソース（例えば、サブフレーム）に対して十分なデータを有する場合、送信機は、複数回送信することができる（例えば、複数の連続するトランスポートブロックなど）。
【００８４】
３３０Ｃおよび３３０Ｄの例では、送信機が、チャネルは、送信に利用可能であると決定したとき、許可Ｍ３２２における残りのリソースの数（例えば、サブフレーム）が、構成された最大値Ｎ３２８よりも小さい可能性がある。送信機は、１回または複数回（例えば、複数のトランスポートブロック）送信できるかどうかを決定することができる。３３０Ｃと３３０Ｄの両方において、割当てにおける残りのサブフレームの数は、送信機による２つの送信（例えば、２つのトランスポートブロック）に適合する十分な大きさがない。特に３３０Ｃの場合、送信機は、３２６Ｃになるまで、チャネルがビジーであると決定することができ、その時点で、送信Ｎ３２４Ｃは、１つのトランスポートブロックに対する場所を有するだけであり、サブフレーム９は使用できない。３３０Ｄに対しても同様に、送信機は、３２６Ｄで開始することができ、それは、送信３２４Ｄに対して１つのトランスポートブロックに対する場所を残すだけである。他の例では、トランスポートブロック長さＫは、１つなど、異なる長さとすることができ、その場合３３０Ｄに対しては、例えば、決定された開始時間３２６Ｄの後、３つのトランスポートブロックを適合させることもできる。
【００８５】
実施形態では、リソースの割当て（すなわち、Ｍ個のリソースのセット）は、送信を受信機（例えば、ｅＮＢまたはＷＴＲＵ）に送るために送信機（例えば、ＷＴＲＵまたはｅＮＢ）によって使用され得る送信機会ウィンドウ（ＴＯＷ）と呼ぶことができる。送信機（例えば、ＷＴＲＵ）は、例えば、ＷＴＲＵがチャネル（例えば、周波数チャネル）はフリーであり得ると決定したとき、少なくとも１つチャネル（例えば、データまたは制御チャネル）またはＴＢを、ＴＯＷの割当ての残りのリソースにおいて送信するとき、送信をＴＯＷで完了することができる。複数のＴＯＷの割当ては、例えば、半恒久的なスケジューリング（ＳＰＳ）などのように、取り消されるまで有効であり得るが、またはそれは、ＴＯＷの持続期間もしくはその数（例えば、Ｗセット）を用いて構成され得る。
【００８６】
リソース割当てまたはＴＯＷの１つまたは複数のセットの１つまたは複数のパラメータは、上位レイヤのシグナリング（例えば、ＲＲＣシグナリングなど）により、かつ／または制御チャネル（例えば、ＤＣＩにおいて）により信号送りされ得る。パラメータは、事前に構成される、周期的である、スケジュールされる、または非周期的にトリガされ得る。デバイス（例えば、ｅＮＢ）は、パラメータを構成する、またはそれを送信機に示すことができ、その場合、パラメータは、以下の少なくとも１つを含むことができる、すなわち、セット／ＴＯＷ当たりの時間リソース（例えば、サブフレーム）の数（Ｍ）、セット／ＴＯＷ内の最大送信長さ（Ｎ）、セット／ＴＯＷの数（Ｗ）、もしくはマルチセット／ＴＯＷ割当ての合計持続期間、割当てのタイミング（例えば、マルチセット割当てのセット／ＴＯＷのフレーム、サブフレーム、スロットなど）、連続するセット／ＴＯＷ間の時間持続期間／期間（例えば、フレーム、サブフレーム、スロットなどで測定される）、セット／ＴＯＷの周期性、次のセット／ＴＯＷに対するオフセット（例えば、リソースまたはサブフレームにおいて）、開始および／または第１のセット／ＴＯＷのインジケーション（例えば、第１のリソースまたはサブフレーム）、リソース／ＴＯＷの終了および／または最後のセットのインジケーション（例えば、最後のリソースまたはサブフレーム）、持続期間（例えば、リソースまたはサブフレームにおけるＭ）、および／または割当てがどのように活動化かつ／または非活動化され得るかのインジケーションである。
【００８７】
送信機は、送信機がもはや割当てを必要としないこと、および／または割当ては解放される、もしくは非活動化され得るというインジケーションを別のエンティティに提供することができる（例えば、ＷＴＲＵからｅＮＢもしくはｇＮＢに）。例えば、ＷＴＲＵは、割当てを終了させるためのインジケーションを提供するために、以下のものの少なくとも１つを送信することができる（例えば、最後の送信で）、すなわち、サイズがゼロであることを示すバッファ状況レポート、制御チャネル（例えば、ＵＬ制御チャネル）におけるインジケーション、参照信号（例えば、構成された参照信号）、シーケンス（例えば、一意の、または構成されたシーケンス）、および／または予約されたＰＲＡＣＨリソースである。送信機は、送るべきさらなるデータを有しないとき、インジケーションを提供することができる。インジケーションは、１つまたは複数の送信のセット／ＴＯＷに対するエンドマーカーとして使用することができる。インジケーションは、分割バースト送信の最後のバーストを示すために、かつ／または決定するために提供される、かつ／または使用され得る。送信機は、インジケーションを、送信（例えば、ＵＬ送信またはＤＬ送信）において、またはそれと共に提供することができ、受信機は、そのインジケーションを受信することができる。
【００８８】
いくつかの状況では、デバイス（例えば、ｅＮＢ）は、例えば、送信（例えば、ＷＴＲＵへの、またはＷＴＲＵによる）が、時間制限（例えば、Ｎ、またはＭＣＯＴ制限）を超える可能性のあるとき、不連続であり得る複数のＴＯＷを割り当てる、またはスケジュールすることができる。デバイスは、例えば、（例えば、各）ＴＯＷがＭ個の時間リソースを含むＷ個のＴＯＷを割り当てることができ、また送信機は、ＴＯＷのＭ個の時間リソースの最大Ｎ個を用いて送信できるに過ぎない。さらにデバイス（例えば、ｅＮＢ）は、例えば、非周期的なスケジューリングに対する複数の開始時間を示すことができる。異なる持続期間を有するＴＯＷの場合、デバイスは、１つまたは複数の（例えば、各）ＴＯＷに対して持続期間を示すことができる。
【００８９】
図４Ａは、バーストへと分割される送信の例示的なプロセスを示す。本明細書で論ずる場合、送信機が送信することを望み得る全体のメッセージ（例えば、データまたは制御）を、送信と呼ぶことができる。いくつかの状況では、送信全体（Total message）は、リソースの割当てのセット（例えば、ＴＯＷ）に適合することができない可能性があり（例えば、送信は、Ｎ個のリソースを超える、またはＭＣＯＴを超えるものを使用する、または使用する必要があり得る）、また１つまたは複数のバーストへと分割する必要があり得る。バーストは、１つまたは複数のバーストのセットへと編成することができ、ここで、所与のＴＯＷに対して送信されるバーストサイズおよび／またはバーストの数は、Ｎまたはそれより少ないリソースで送信されるに過ぎない。一例では、送信は、ＮＢ（例えば、ＮＢ−ＩｏＴ）、帯域幅制限（ＢＬ）、またはＣＥ送信とすることができる。
【００９０】
４０１で、送信機（例えば、ｅＮＢまたはＷＴＲＵ）は、Ｎ個のリソース（例えば、時間リソース）の最大送信長さの構成を受信することができる。４０２で、送信機は、１つまたは複数の送信に対してＭ個のリソースの１つまたは複数のセット割り当てられるが、Ｍ個のリソースのうちのＮ個だけを使用することができる。
【００９１】
４０３で、送信は、Ｂ個のバーストのセットへと（例えば、ＷＴＲＵ、ｅＮＢ、または送信デバイスにより）分割する（例えば、分ける、またはセグメント化する）ことができ、その場合、送信は、Ｋ個のリソース（例えば、時間で）を使用する必要がある、または使用することができるが、ただし、ＫはＮ未満であり得、その他の場合、各バーストは、事前構成され得るＮ個のリソース（例えば、Ｎを超えないリソース）を使用することができる（例えば、そのリソースで送信され得る）。バーストのセットにおけるバーストは、同じサイズまたは異なるサイズとすることができる。一般に、送信機は、以下のものの少なくとも１つに基づいて、送信に対するバーストの数／サイズを決定することができる、すなわち、ａ）送信機がチャネルはフリーであると決定した場合のリソースのセット内のリソース（例えば、第１のリソース）、ｂ）例えば、送信機がチャネルはフリーであると決定したとき、リソースのセットにおける残りの時間、ｃ）Ｂまたはそれ以下であり得るまだ送信すべきバーストの数、および／またはｄ）Ｎである。いくつかの例では、送信は、バーストが同じサイズになり得るように適合され得る（例えば、パディングまたはレートマッチングを使用することができる）。例えば、送信機は、残りの、または残存する時間に適合し得るバーストの数までを送信することができる（例えば、チャネルが、フリーであると決定されたとき、またはチャネルがフリーであると決定された送信機会を用いて開始するとき）が、ＭＣＯＴまたはＮを超えることはない（例えば、送信に使用され得る連続する時間リソース（例えば、サブフレーム）の最大許容される数）。
【００９２】
４０４で、送信機は、ＣＣＡ（例えば、完全なＣＣＡ）を実施し、かつＴＯＷの第１のリソースにおいて送信するための開始時間を決定することができる。４０５で、送信機は、Ｍ個のリソースのうちの最大Ｎ個において、Ｂ個のバーストのサブセット（例えば、Ｂサブ個のバーストなど）を送信する直前に、ＣＣＡ（例えば、短いＣＣＡ）を用いてチャネル可用性を決定することができる。
【００９３】
本明細書で論ずるように、送信に使用され得るＭ個のリソースの１つまたは複数のセットの割当ては、ＴＯＷの有限な数（例えば、Ｗ）を含むことができる、または取り消される、もしくは非活動化されるまで、割り当てることができる。いくつかの場合では、割当ては、特定の送信に対するものとすることができ、またＭの値は、異なるＴＯＷに対して同じ、または異なることができる。さらに、Ｎの値は、異なるＴＯＷに対して同じ、または異なることができる。例えば、Ｎの値は、リソースのセットに応じて、または異なるＴＯＷに対して変化し得る（例えば、構成または再構成され得る）。
【００９４】
４０５で、ＣＣＡ（例えば、短いＣＣＡ）に基づいて、４０６Ｙでチャネルが空いている場合、４０９で、送信機は、ＴＯＷの割り当てられたリソースＭのセットにおいて、残りのリソース、またはＮ個のリソースのうちの少ない方の１つまたは複数のバースト（例えば、適合するものに基づいて）を送信することができる。各バーストまたはバーストのセットに対して、ＢＩを含めることができる。４１０Ｎで、元のバーストＢから送信すべきさらなるバーストがない場合、４１３で、送信プロセスは終了することができる。４１０Ｙで、元のバーストＢから送信すべきさらなるバーストがある場合、４１１で、送信機は、利用可能なさらなるＴＯＷがあるかどうかを決定する。４１１Ｙで、利用可能なさらなるＴＯＷがある場合、４１２で、次の送信時間が決定され、プロセスは、４０５で、送信前のＣＣＡチェックへと回って戻る。４１１Ｎで、利用可能なさらなるＴＯＷがない場合、４１３で、送信プロセスは終了することができる。
【００９５】
４０６Ｎで、送信用にチャネルが空いていない場合、４０７で、次の送信時間を決定しなければならない。送信機は、次いで４０８で、バーストが、所与のＴＯＷ（すなわち、利用可能なリソースのセット）の残り時間に適合するか(収まるfit in)どうかを決定することができる。４０８Ｎで、バーストが適合しない場合、４１１で、本明細書で論ずるように、送信機は、さらなるＴＯＷが利用可能かどうかを決定する。４０８Ｙで、バーストが、残り時間に適合する(収まるfit in)場合、プロセスは、回って戻り、４０５で、送信する前にＣＣＡチェックを実施する。
【００９６】
図４Ｂは、分割されたバーストを用いる送信に関する図４Ａのさらなる例、および例示的なプロセスを示す。図４Ｂで示される例では、リソースはサブフレームとすることができ、許可Ｍリソース４２２は、６サブフレームに等しく、許可されたリソースのすべてのセット（すなわち、ＴＯＷ）は、同じとすることができ、最大送信長さＮ４２８は、４サブフレームに等しく、バーストは１つのサブフレームを使用することができ、また送信機会は、サブフレーム境界で開始できる。
【００９７】
４３０Ａの例では、送信機は、送信を送信しようと試みることができ、ここで、バーストの数（Ｂ）は、７とすることができ、また送信機は、所与の時間に最大で４個のバースト（Ｎ＝４）を送信できるだけである。送信機は、チャネルが、ＴＯＷ４３１Ａのサブフレーム１の後（例えば、サブフレーム境界で）に利用可能であると決定することができる。送信機は、ＴＯＷ４３１ＡでＮ、すなわち、４個のバーストを送信できるが、それは、送信機は、合計７個のバーストを送信しなければならないが、所与のＴＯＷで、または送信機会Ｎ４２８で送信できる最大のものは４つであるからである。その結果、送信機は、ＴＯＷ４３１Ａの最後のサブフレームを使用することができない。送信機は、チャネルが利用可能である場合、および／または利用可能なとき、割当ての次のＴＯＷである、ＴＯＷ４３２Ａにおいて、残りのバースト（例えば、残りの３つのバースト）を送信することができる。第２のＴＯＷ４３２Ａでは、ビジーであるサブフレームがなく、したがって、チャネルは第１の利用可能な機会に送信するのに利用でき、送信機は次いで、７個の合計バーストのうちの残りの３個のバーストを送信することができる。その後のＴＯＷ４３３Ａでは、バーストのすべての送信が完了しているので、何らかのさらなる送信の必要はない。
【００９８】
４３０Ｂの例では、８個のバーストがあり得る。第１のＴＯＷ４３１Ｂにおいて、送信機は、ＴＯＷ４３１Ｂ全体に対してチャネルがビジーであると決定することができる。第２のＴＯＷ４３２Ｂでは、送信機は、第１の送信機会（すなわち、ＴＯＷ４３２Ｂのサブフレーム１）において、チャネルが利用可能であることを見出す。送信機は、最大の許容される長さＮ４２８（例えば、４サブフレーム）に対してバーストを送信することができる。送信機は、チャネルが利用可能である場合、および／または利用可能なとき、次に利用可能なＴＯＷ（または後のＴＯＷ）において、残りのバーストを送信することができる。少し後のＴＯＷ４３３Ｂ（すなわち、次のＴＯＷ、または少し後のＴＯＷ）では、チャネルは、第２の送信機会（すなわち、サブフレーム２）で利用可能とすることができ、また送信機は、送信する必要のある合計で８個のバーストのうちの残りの４個のバーストを送信することができる。
【００９９】
４３０Ｃの例では、８個のバーストがあり得る。第１のＴＯＷ４３１Ｃでは、送信機は、チャネルは、５番目の送信機会（すなわち、サブフレーム５）までビジーであると決定することができ、またこの例では、２個のバーストであるＴＯＷ４３１Ｃの残りの許可Ｍ４２２において適合できる数のバーストを送信することができる。第２のＴＯＷ４３２Ｃにおいて、送信機は、チャネルが直ちにフリーであると決定することができ、この例では、４個のバーストである最大送信長さＮ４２８を、第１の送信機会（すなわち、ＴＯＷ４３２Ｃのサブフレーム１）において送信することができる。送信機は、チャネルが利用可能な場合、および／または利用可能なとき、次に利用可能なＴＯＷ（またはその後のＴＯＷ）で残りのバーストを送信することができる。少し後のセット４３３Ｃ（すなわち、次のセット、または少し後のセット）では、チャネルは、第２の送信機会（すなわち、サブフレーム２）で利用可能であり、送信機は、送信される必要のある合計８個のバーストのうちの残りの２個のバーストを送信することができる。
【０１００】
一例では、送信機は、基地局によって構成されたパラメータを有するＷＴＲＵとすることができ、ＷＴＲＵは、ＴＯＷを開始する前に、ＣＣＡを実施することができ、かつ／またはＴＯＷの開始時に、チャネルが送信に利用可能であるか、または可能になるかを決定することができる。チャネルが利用可能であると決定された場合、ＷＴＲＵは、最大でＮ個のリソース（例えば、ＴＯＷの開始から始めて）で送信することができる。ＴＯＷの開始時に、チャネルが利用できないと決定された場合、ＷＴＲＵは、後で送信するために、ＣＣＡを実施する（すなわち、実施し続ける）ことができる。ＷＴＲＵが、チャネルはＴＯＷ内でアイドルであり、かつＷＴＲＵの送信をサポートするのに十分なリソースが残っていると決定したとき、ＷＴＲＵは、その送信を送信することができる。
【０１０１】
図５は、バーストインジケータ（ＢＩ）を用いる例示的な送信プロセスを示す。バーストインジケータおよびバーストＩＤは、相互に交換可能に使用することができ、また各バーストに対して一意のものであり得る（例えば、バーストカウンタ）。一例では、異なるＢＩが、分割バースト送信の第１のバーストおよび第２のバーストで、またはそれと共に送信され得る。バーストで、またはそれと共に送信され得るＢＩは、そのバーストが、分割バースト送信の、またはセットバーストのどのバースト（例えば、どのバースト番号）であり得るかを示すことができる。
【０１０２】
ＢＩは、パターン、シグネチャ、信号（例えば、参照信号（ＲＳ））、またはシーケンスの１つまたは複数のもの（例えば、セット）である、を含む、または備えることができる。信号および／またはシーケンスという用語は、シグネチャ、信号、および／またはシーケンスを表すために使用され得る。信号は、いくつかある中で特に、セル特有のＲＳ（ＣＲＳ）、復調ＲＳ（ＤＭＲＳ）、チャネル状態情報ＲＳ（ＣＳＩ−ＲＳ）などの参照信号（ＲＳ）とすることができる。シーケンスは、ザドフ−チューシーケンスとすることができる。ＢＩ、および／またはＢＩに使用され得る信号／シーケンス（または信号／シーケンスのセットもしくはパターン）は、一意のものとすることができ、かつ／またはいくつかある中で特に、ＷＴＲＵ、目的、チャネルもしくはチャネルのセット、バースト、バーストのセット、送信、分割バースト送信用のものである、またはそれに対して構成され得る。構成は、上位レイヤのシグナリング（例えば、ＲＲＣシグナリング）、および／または物理レイヤシグナリングによるものとすることができる。
【０１０３】
例えば、ＢＩは、ＵＬバースト送信において、またはそれと共に送信することができ、またＤＣＩにおいて示される、または識別され得る。ＤＣＩは、例えば、分割バースト送信とすることのできる完全な送信に対するＵＬ許可または割当てである、またはそれを含むことができる。ＷＴＲＵは、完全なバースト送信、または分割バースト送信の少なくとも一方において、示された（例えば、識別された）ＢＩを送信することができる。
【０１０４】
あるいは、ＢＩは、ＤＬバースト送信において、またはそれと共に送信することができ、ＤＣＩにおいて示される、または識別され得る。ＤＣＩは、例えば、分割バースト送信とすることのできる完全な送信に対して、ＤＬ許可または割当てであり得る、またはそれを含むことができる。ＷＴＲＵは、ＷＴＲＵが受信することができ、示された（例えば、識別された）ＢＩの送信を含む、またはそれに関連付けることのできる１つまたは複数のバーストを結合することができる。
【０１０５】
ＢＩの１つまたは複数の信号／シーケンス、または１つまたは複数の信号／シーケンスのパターンは、以下の少なくとも１つとすることができる、すなわち、ＷＴＲＵ特有のもの（例えば、ＷＴＲＵ用に構成された）、バーストまたは分割バースト特有のもの（例えば、バーストまたは分割バースト送信用に構成された、かつ／またはそれに関連付けられた）、セル特有のもの（例えば、セルに対して構成された）、グループ特有のもの、チャネル特有のもの（例えば、１つまたは複数の共通チャネルなどの１つまたは複数のチャネルに特有のもの）、チャネルタイプに特有のもの、および／またはＨＡＲＱプロセスもしくはＨＡＲＱプロセスＩＤ特有のもの（例えば、ＨＡＲＱプロセスもしくはＨＡＲＱプロセスＩＤ用に構成された、かつ／またはそれに関連付けられたもの）である。
【０１０６】
一例では、ＷＴＲＵは、ＷＴＲＵがＨＡＲＱプロセス用にバーストを送信できる場合、ＨＡＲＱプロセス用に構成されたＢＩ（例えば、ＨＡＲＱプロセスＩＤ）を送信することができる。ＷＴＲＵは、バーストがＨＡＲＱプロセスに関連付けられることを示すことのできるＢＩを、１つまたは複数のバーストにおいて、またはそれと共に受信することに基づいて、ＨＡＲＱプロセスに関連付けることのできる１つまたは複数のバーストを結合することができる。
【０１０７】
図５で示される例は、送信パラメータが異なっていること、およびバーストインジケータ／バースト識別が示され得ることを除き、図４Ａおよび図４Ｂに関して説明されたプロセスと同様であり得る。関連付けられた制御シグナリングは、各バーストに対して送信することができ、また関連付けられた制御シグナリングは、ＢＩを含むことができる。最初に、送信機（例えば、ＷＴＲＵ）は、少なくとも１つの送信、または送信タイプをバーストへと分ける／分割することに関連付けられた１つまたは複数のパラメータを用いて構成され得る（例えば、そのための構成を受信することができる）。所与の送信に対して、送信機（例えば、ＷＴＲＵ）は、前もって構成情報を受信し、かつ処理することができる（例えば、所与の送信に対するバーストの数を決定する）。送信機は、上位レイヤのシグナリング（例えば、ＲＲＣシグナリング）および／または物理レイヤシグナリング（例えば、制御チャネルおよび／またはＤＣＩによる）により、少なくとも１つのパラメータを含むことのできる構成を受信することができる。
【０１０８】
構成（例えば、１つまたは複数のパラメータ）は、以下のものの少なくとも１つを含むことができる、すなわち、最大送信長さ／セット内の時間リソース（Ｎ）、符号ブロックサイズ（例えば、バーストが符号ブロックに基づくとき）、バーストサイズ（例えば、時間、リソースの数、符号ブロックの数、または反復の数で）、最小のバーストサイズおよび／または最大のバーストサイズ、バーストの数（Ｂ）、バーストごとにＣＲＣを挿入すべきかどうか、バースト、バーストのセット、またはバーストのサブセットのスケジューリングパラメータ（例えば、ＭＣＳ、周波数リソース、送信電力など）、バーストがマップされ得る時間リソース（すなわち、時間単位）の数（例えば、スロット、ミニスロット、ＯＦＤＭ／ＤＦＴ−ｓ−ＯＦＤＭシンボル、サブフレーム、および同様のものの数）、バースト送信に、またはそれと共に含まれ得るシグネチャ、信号、スクランブル符号、シーケンス、および／またはパターンを識別かつ／または構成できる１つまたは複数のパラメータ、ならびに／またはバースト送信に、またはそれと共に含まれ得るバーストインジケータ（ＢＩ）を識別かつ／または構成できる１つまたは複数のパラメータである。
【０１０９】
バースト送信に、またはそれと共に含まれ得るシグネチャ、信号、スクランブル符号、シーケンス、および／またはパターンを識別および／または構成できる１つまたは複数のパラメータに対して、バーストのセットにおける各バーストは、バースト識別（例えば、バーストＩＤ）を有することができ、またバーストＩＤは、各バーストにおけるビットをスクランブルするために使用することができる。例えば、バーストの符号化ビットは、その関連付けられたバーストＩＤと共にスクランブルされ得る（例えば、バーストＩＤは、バーストのスクランブル符号を開始するために使用できる）。
【０１１０】
図５の例を参照すると、送信機は、マルチサブフレーム許可Ｍ５２２など、リソースのセットを用いて、送信５３０を送信することができる。送信５３０は、２サブフレームのバーストサイズ５２５など、受信された構成に基づいて、バーストへと分解され得る。最大送信長さＮ５２８は、ＭＣＯＴに設定することができ、４サブフレームに等しくすることができる。この例では、全体のアップリンク送信５３０は、８サブフレームを含むことができ、また４個のバーストへと分解され得る。各バーストは、５０１、５０２、５０３、および５０４などのバーストＩＤ５３９を有することができ、各バーストは、２サブフ
第１のＴＯＷ５３１の場合、開始時間は、ＣＣＡ（例えば、完全なＣＣＡ）を実施することにより決定することができ、ここで、送信機は、チャネルがサブフレーム４の後はビジーではないと決定することができ、その時点で、送信機は、チャネル（例えば、周波数チャネル）が、使用可能である、または利用可能であると決定されたとき（例えば、ＣＣＡが合格したと決定されたとき）、どれだけ多くのバーストがリソース５２２の残りの許可に適合できるかを決定する。例えば、第１のＴＯＷ５３１において、バーストＩＤ５０１を有する第１のバーストが、サブフレーム５および６で送信され、サブフレーム７は、バーストを有することができない。プロセスは、全体のＵＬ送信５３０が送られるまで続けることができる。
【０１１１】
第２のＴＯＷ５３２では、チャネルは、サブフレーム６までビジーであり、どのバーストを送るのにも十分なサブフレームが許可Ｍ５２２に残されていないことを意味する。プロセスは、第３のＴＯＷ５３３へと進むことになり、サブフレーム１の後、チャネルはフリーになり、３個のバーストが残りの許可Ｍ５２２に適合できるが、次の２つのバースト５０２および５０３が送信できるだけであり、それは、４サブフレーム（すなわち、２個のバースト）のＭＣＯＴ５２８が存在するからである。次のＴＯＷ５３４では、チャネルは直ちにフリーになり、バーストＩＤ５０４である最後のバーストを、ＵＬ送信５３０全体が送られてしまうので、送るべきさらなるバーストを残りのＳＦに残すことなく送ることができる。
【０１１２】
図５の例では、バーストＩＤは、各バーストにおいて、ビットをスクランブルするために使用され得る。さらに、バースト送信に、またはそれと共に含まれ得るシグネチャ、信号、スクランブル符号、シーケンス、および／またはパターンを識別および／または構成できる１つまたは複数のパラメータに対して、バーストに対するＤＭ−ＲＳシーケンス／パターンが、その関連付けられたバーストＩＤに基づいて決定され得る。例では、バーストは、関連付けられたＤＭ−ＲＳと共に送信することができ、また関連付けられたＤＭ−ＲＳシーケンス／パターンは、バーストＩＤに基づいて決定することができる。このような場合、以下の少なくとも一方を適用することができる、すなわち、ベースシーケンス（例えば、ザドフ−チューシーケンス、ゴレイシーケンス、ｍシーケンス）の１つまたは複数の巡回シフトを、ＤＭ−ＲＳシーケンスとして使用することができ、またＤＭ−ＲＳに対する巡回シフトは、バーストＩＤに基づいて決定され得る、かつ／または１つまたは複数のＤＭ−ＲＳパターンを、インターリーブ周波数ドメイン多重（ＩＦＤＭ）に基づいて使用することができ、またＤＭ−ＲＳパターンは、周波数オフセットに基づいて決定することができ、ＤＭ−ＲＳに対する周波数オフセット（例えば、ＤＭ−ＲＳパターン）は、バーストＩＤに基づいて決定され得る。
【０１１３】
バースト送信に、またはそれと共に含まれるバーストインジケータ（ＢＩ）を識別および／または構成する１つまたは複数のパラメータに対して、ＣＲＣを、各バーストに対して使用する、または付加することができ、またバーストインジケータ（ＢＩ）は、ＣＲＣスクランブルを用いて暗黙的に送信することができる。例えば、ＣＲＣは、送信機で関連付けられたＢＩを用いてスクランブルすることができ、また受信機は、ＣＲＣチェックに対して、関連付けられたＢＩを用いてＣＲＣのスクランブルを解除することができる。
【０１１４】
バースト送信に、またはそれと共に含まれ得るバーストインジケータ（ＢＩ）を識別および／または構成できる１つまたは複数のパラメータに関してさらに、バーストにおけるリソース要素（ＲＥ）のサブセットを予約することができ（例えば、ＤＭ−ＲＳの隣のＲＥなど）、またＢＩは、ＲＥのサブセットで送信され得る。
【０１１５】
いくつかの場合では、分割バースト送信の１つまたは複数のバーストは同じにすることができる。例えば、Ｂ個のバーストへと分割され得る送信の第１のバーストは、送信の第２のバーストの複製とすることができる。さらにバーストが、信号またはチャネルの反復（例えば、ＣＥ反復）を伝達するために使用され得る場合、分割バースト送信の１つまたは複数の（例えば、すべての）バーストは、同じとすることができる（例えば、符号化ビットであり得る同じビットを備える、含む、または伝達することができる）。１つまたは複数のバーストは、バースト送信に、またはそれと共に含まれ得るＢＩを含めて、または含まないで同じとすることができる。送信の反復は、同じ情報ビットの反復送信を含むことができるが、符号化ビットの冗長性バージョンは、各反復で異なることができる。例えば、同じ情報ビットは、チャネル符号化され、符号化ビットの異なる部分は、反復数に基づいて送信され得る。
【０１１６】
別の例では、分割バースト送信の第１のバーストは、送信のビットもしくはシンボルのサブセットを伝達することができ、また分割バースト送信の第２のバーストは、送信のビットもしくはシンボルの異なるサブセットを伝達することができる。例えば、トランスポートブロック（例えば、送信に対して複数のリソースを使用できるもの）は、Ｂ個のバーストへと区分することができ、ここで、各バーストは、トランスポートブロックのビットまたはシンボルのサブセット（例えば、異なるサブセット）を伝達することができる。さらに区分は符号ブロックレベルで行うことができ、バーストは、送信の（例えば、送信ブロックの）１つまたは複数の符号ブロックを備える、含む、または伝達することができる。
【０１１７】
図６は、ビットインジケータを用いて送信を受信するためのプロセスの例を示す。６０１で、受信機は、ＢＩに対する構成を受信し、かつ／またはＢＩまたはＢＩのセットを、分割バースト送信の受信に使用することを決定することができる。６０２で、受信機は、１つまたは複数のリソース（例えば、サブフレーム）において、ＢＩを、またはＢＩのセットの少なくとも１つのＢＩをモニタすることができる。受信機は、分割バースト送信の１つまたは複数のバーストを受信するように試みることができる。６０３Ｎで、ＢＩが受信されない場合、かつ６０６Ｙで、これが、モニタすべき最後のリソース、またはリソース／ＴＯＷのセットである場合、６０７で、プロセスは終了することになる。６０３Ｎで、ＢＩが受信されない場合、かつ６０６Ｎで、それが、モニタすべき最後のリソース、またはリソース／ＴＯＷのセットではない場合、プロセスは、モニタリング６０２へと戻ることができる。
【０１１８】
６０３Ｙで、ＢＩが受信された場合、受信機は、６０４で、関連付けられたバーストを、受信し、記憶し、かつ／または分割バースト送信の１つまたは複数の他のバーストと結合することになる。バーストが、完全な送信のサブセット（例えば、ビットの）を運んでいる場合、受信機は、バーストを結合して（例えば、組み立てる、または連結する）完全な送信を取得する、受信する、かつ／または復号する（例えば、成功裏に受信および／または復号する）ことができる。バーストが、送信の反復（例えば、ビットの）を運んでいる場合、受信機は、バーストを結合して（例えば、ソフト結合）、送信を受信および／または復号する（例えば、成功裏に受信および／または復号する）ことができる。例えば、受信機が、分割バースト送信のバーストを結合できるようにするために、ＢＩが提供され（例えば、送信され）、かつ／または使用され得る（例えば、送信機により）。受信機は、少なくとも１つのＢＩを使用して、分割バースト送信の１つまたは複数のバーストをいつおよび／またはどのようにして結合するかを決定することができる。
【０１１９】
６０５Ｙで、最後のバースト、または分割バースト送信の受信に成功した場合、６０７で、プロセスは終了することができる。６０５Ｎで、最後のバースト、または分割バースト送信の受信に成功しなかった場合、受信機は、これが、モニタすべき最後のリソース、またはリソース／ＴＯＷのセットであるかどうかを決定する。
【０１２０】
概して、受信機は、ＢＩに対するサブフレームまたはスロットなどのリソース（例えば、各リソース）をモニタすることができる。例えば、ＷＴＲＵは、ＤＬリソース、バースト送信および／または受信に対して構成されたリソース、ならびに／または特定のバースト送信もしくはあるタイプのバースト送信（例えば、共通もしくはＷＴＲＵ特有の送信）の送信および／または受信用に構成されたリソースのうちの少なくとも１つとすることのできる各リソースをモニタすることができる。受信機がＢＩを受信したとき、受信機は、関連付けられたバーストを受信し、かつ／または関連付けられたバーストを、同じＢＩに関連付けられ得る、前に受信したバーストと結合することができる。
【０１２１】
ＢＩは、いくつかの可能な方法で受信することができる、例えば、ＢＩは、バースト送信（例えば、各バースト送信）に（例えば、その一部として）含むことができる、ＢＩは、バースト送信またはバースト送信のセットに先行することができる（例えば、その前に送信および／または受信され得る）、ＢＩは、バースト送信またはバースト送信のセットの後に続くことができる（例えば、その後に送信および／または受信され得る）、ＢＩは、バースト送信中に送信および／または受信され得る、かつ／またはＢＩ（例えば、ＢＩ送信）は、時間および／または周波数において、バースト送信とインターリーブされる、かつ／または重なる（例えば、少なくとも部分的に）ことができる。
【０１２２】
いくつかの場合では、受信機は、反復する（例えば、複数のバーストで）ことなくＢＩの単一の送信で、またはそれに基づいて、ＢＩの受信に成功することができる。ＢＩは、受信機が、例えば、１つまたは複数の前に受信したバーストと結合するために、バーストの存在を決定する、または検出できるようにする。受信機は、ＢＩの受信に基づいて（例えば、リソースにおいて、またはそれと共に）バーストが存在する（例えば、リソースに）と決定することができる。受信機は、ＢＩを使用して、受信したバーストを、前に受信したバーストと（例えば、受信したＢＩに基づいて）結合する（例えば、組み立てる、またはソフト結合する）ことができる。例えば、送信（例えば、チャネルまたはトランスポートブロックの）は、複数のバーストにわたって反復することができる。
【０１２３】
反復されるバーストおよび／またはＢＩが使用され、かつ／または提供され得る（例えば、ＣＥが使用されるとき）。ＢＩは、受信機により使用されて、送信が、分割バースト送信のバースト、および／または送信の反復であり得ると決定することができる。受信機は、第１および／または第２のバーストおよび／または送信と共にＢＩを受信することに基づいて、第１のバーストまたは送信を、第２のバーストまたは送信と結合することができる、または結合するように決定することができる。さらに受信機は、ＢＩを（例えば、成功裏に）受信するために、共に、もしくは連続して送信されたバーストのセットで、またはそれと共に受信され得るＢＩの反復のセットを結合することができる。
【０１２４】
ＢＩ（例えば、同じＢＩ）は、例えば、バーストまたは送信の受信を成功させるために結合済みソフト結合可能なバーストまたは送信の反復のすべてにおいてなど、分割バースト送信のバーストの１つまたは複数のもので送信することができる。ＢＩは、バーストのセットで、またはそれと共に送信することができ、例えば、ＢＩは、共にまたは時間で連続して送信され得るバーストのセットのそれぞれで、またはそれと共に反復することができる。
【０１２５】
例では、ＢＩは、時間／周波数リソース（例えば、送信またはバースト送信の）のセットで送信および／または受信することができる。時間／周波数リソースは、リソース要素（ＲＥ）とすることができる。ＲＥは、周波数または少なくとも１つのシンボル（例えば、時間における）サブキャリアのセットを含むことができる。ＢＩ送信に使用され得る時間／周波数リソースは、バースト送信に使用されるリソースとは異なることができる。例えば、バースト送信は、ＢＩ送信に使用され得る時間／周波数リソース（例えば、ＲＥ）の付近でレートマッチングされ得る。さらに、本明細書で論ずる時間リソースのいずれの増分も、ＢＩを含むことができる。さらに、ＢＩは、制御チャネルに、かつ／またはバーストと共に送信され得る制御情報（例えば、ＤＬまたはＵＬ制御情報）に存在する、または含めることができる。
【０１２６】
ＢＩ信号／シーケンスの密度（例えば、ＲＥなどの時間／周波数リソースにおける）、または１つまたは複数の信号／またはシーケンスのパターンは、必要なまたは使用され得るＣＥレベルに応じたものであり得る。パターンは、ゲイン（例えば、望ましいゲイン）を達成するために、時間単位または時間リソース（例えば、サブフレームまたはスロット）で反復され得る。密度は、高いＣＥレベルに対して、より高くすることができる（例えば、より多くのＣＥ）。パターン反復は、高いＣＥ（例えば、より多くのＣＥに対して）レベルに対して増加させる、またはより高くすることができる。
【０１２７】
いくつかの場合では、反復されないバーストおよび／またはＢＩが提供され、かつ／または使用され得る。反復されないバーストおよび／またはＢＩは、例えば、送信（例えば、チャネルまたは送信ブロック）を送信するために、複数のリソースを使用できるＮＢ−ＩｏＴ送信など、ＮＢ送信に使用することができる。反復されないバーストおよび／またはＢＩは、例えば、ＣＥが使用できないときに使用することができる。
【０１２８】
いくつかの場合では、ＢＩは、ＷＴＲＵ−ＩＤまたはＣ−ＲＮＴＩに関連する、またはそれに応じたものであり得る。ＷＴＲＵは、そのために意図され得る１つまたは複数のバーストを使用または結合することができる（例えば、結合するに過ぎない）。ＷＴＲＵは、バーストに関連付けられ得る、かつ／またはバーストに、またはそれと共に送信され得るＢＩに基づいて、バーストはそのために意図され得ると決定することができる。さらにＷＴＲＵは、そのＷＴＲＵ−ＩＤまたはＣ−ＲＮＴＩに基づいて、バーストにおいて、またはそれと共にＢＩを送信することができる。ｅＮＢは、バーストにおいて、またはそれと共に送信され得るＢＩに基づいて、バーストが、ＷＴＲＵ（例えば、特定のＷＴＲＵ）からのものであり得ると決定することができる。
【０１２９】
いくつかの場合では、ＢＩは、共通チャネルに関連付ける、またはそれに対して構成することができる。例えば、ＷＴＲＵは、バーストに関連付けられた、バーストで、またはそれと共に送信された、かつ／またはバーストで、またはそれと共にＷＴＲＵにより受信され得るＢＩに基づいて、バーストが、共通チャネルに関連付けられ得る、またはそれに対して構成され得ると決定することができる。ＷＴＲＵは、ＷＴＲＵが、例えば、共通チャネルを受信および／または復号する（例えば、受信および／または復号に成功する）ために、共通チャネルに関連付けられる、またはそれに対して構成されると決定できる１つまたは複数のバーストを使用する、または結合することができる、またはそのようにするだけであり得る。
【０１３０】
上記において、特徴および要素が特定の組合せで述べられているが、当業者であれば、各特徴または要素は、単独で、または他の特徴および要素との任意の組合せで使用できることが理解されよう。加えて、本明細書で述べられた方法は、コンピュータまたはプロセッサで実行するためにコンピュータ可読媒体に組み込まれたコンピュータプログラム、ソフトウェア、またはファームウェアで実施することができる。コンピュータ可読媒体の例は、電子信号（有線または無線接続を介して送信される）、およびコンピュータ可読記憶媒体を含む。コンピュータ可読記憶媒体の例は、これだけに限らないが、読み出し専用メモリ（ＲＯＭ）、ランダムアクセスメモリ（ＲＡＭ）、レジスタ、キャッシュメモリ、半導体記憶デバイス、内蔵ハードディスクおよび取外し可能ディスクなどの磁気媒体、光磁気媒体、ならびにＣＤ−ＲＯＭディスクおよびデジタル多用途ディスク（ＤＶＤ）などの光媒体を含む。ソフトウェアに関連するプロセッサは、ＷＴＲＵで使用される無線周波数送受信機、ＷＴＲＵ、端末、基地局、ＲＮＣ，または任意のホストコンピュータを実施するために使用することができる。
【産業上の利用可能性】
【０１３１】
本発明は、無線通信に利用できる。
【図１Ａ】
2022003815.tif 000003
【図１Ｂ】
2022003815.tif 000004
【図１Ｃ】
2022003815.tif 000005
【図２Ａ】
2022003815.tif 000006
【図２Ｂ】
2022003815.tif 000007
【図３Ａ】
2022003815.tif 000008
【図３Ｂ】
2022003815.tif 000009
【図４Ａ】
2022003815.tif 000010
【図４Ｂ】
2022003815.tif 000011
【図５】
2022003815.tif 000012
【図６】
2022003815.tif 000013